(57)【要約】【課題】画像データに画像処理を施すことでズーム効果を擬似的に与えた画像を生成することができること。【解決手段】画像処理部１６は、画像データにおける画像領域中の少なくとも一部の領域の画像サイズを当該少なくとも一部の領域中の一位置を中心としてリサイズするリサイズ処理を行うとともに、上記画像データ及びリサイズ処理後の画像データを上記一位置同士が重なり合うように合成する合成処理を行う特殊画像処理部１６２を備える。【選択図】図２
2014239382.tif 000002
【特許請求の範囲】
【請求項１】
画像データにおける画像領域中の少なくとも一部の領域の画像サイズを前記少なくとも一部の領域中の一位置を中心としてリサイズするリサイズ処理を行うとともに、前記画像データ及び前記リサイズ処理後の画像データを前記一位置同士が重なり合うように合成する合成処理を行う特殊画像処理部を備える
ことを特徴とする画像処理装置。
【請求項２】
前記特殊画像処理部は、
前記リサイズ処理及び前記合成処理を所定回数ずつ、繰り返す反復処理を実行し、
前記反復処理では、
前回の前記合成処理で合成した画像データに対して、再度、前記リサイズ処理を行うとともに、前記合成処理により、前記画像データ及び前記再度のリサイズ処理後の画像データを前記一位置同士が重なり合うように合成する
ことを特徴とする請求項１に記載の画像処理装置。
【請求項３】
前記特殊画像処理部は、
前記リサイズ処理及び前記合成処理を所定回数ずつ、繰り返す反復処理を実行し、
前記反復処理では、
前記画像データに対して、リサイズ率を変更して、再度、前記リサイズ処理を行うとともに、前記合成処理により、前回の前記合成処理で合成した画像データ、及び前記再度のリサイズ処理後の画像データを前記一位置同士が重なり合うように合成する
ことを特徴とする請求項１に記載の画像処理装置。
【請求項４】
前記リサイズ処理は、
画像サイズを拡大する処理である
ことを特徴とする請求項１〜３のいずれか一つに記載の画像処理装置。
【請求項５】
前記リサイズ処理は、
前記画像データにおける画像領域中の一部の領域の画像サイズを、前記一位置を中心として前記画像データと同じ画像サイズに拡大する処理である
ことを特徴とする請求項４に記載の画像処理装置。
【請求項６】
前記リサイズ処理は、
画像サイズを縮小する処理である
ことを特徴とする請求項１〜３のいずれか一つに記載の画像処理装置。
【請求項７】
前記合成処理にて前記画像データに合成される前記リサイズ処理後の画像データの合成比率は、
前記リサイズ処理後の画像データにおける画像領域の中心位置から離れるにしたがって小さくなるように設定されている
ことを特徴とする請求項６に記載の画像処理装置。
【請求項８】
被写体を撮像して当該被写体の画像データを生成する撮像素子と、
前記撮像素子にて生成された画像データにおける画像領域中の少なくとも一部の領域の画像サイズを前記少なくとも一部の領域中の一位置を中心としてリサイズするリサイズ処理を行うとともに、前記画像データ及び前記リサイズ処理後の画像データを前記一位置同士が重なり合うように合成する合成処理を行う特殊画像処理部とを備える
ことを特徴とする撮像装置。
【請求項９】
移動することで撮影範囲を変更するズームレンズと、
露光間ズーム撮影を行う露光間ズーム撮影モード、または前記ズームレンズを移動せずに前記露光間ズーム撮影を擬似的に行うシミュレーションモードを指示する指示信号の入力を受け付ける操作入力部と、
前記操作入力部によって入力された前記露光間ズーム撮影モードを指示する指示信号に応じて、前記撮像素子及び前記ズームレンズの動作を制御し、前記露光間ズーム撮影を行う露光間ズーム制御部と、
前記操作入力部によって入力された前記シミュレーションモードを指示する指示信号に応じて、前記特殊画像処理部を動作させる画像処理制御部とを備える
ことを特徴とする請求項８に記載の撮像装置。
【請求項１０】
前記画像データに含まれる情報に基づいて、前記撮像素子の露光時間を算出する露光時間算出部を備え、
前記画像処理制御部は、
前記露光間ズーム撮影モードが指示されている状態で、前記露光時間算出部にて算出された露光時間が所定の閾値よりも小さい場合には、前記特殊画像処理部を動作させる
ことを特徴とする請求項９に記載の撮像装置。
【請求項１１】
前記画像データに含まれる情報に基づいて、前記撮像素子の露光時間を算出する露光時間算出部と、
前記露光時間算出部にて算出された露光時間に応じて、前記特殊画像処理部が行う前記リサイズ処理でのリサイズ率を設定するリサイズ率設定部とを備える
ことを特徴とする請求項８〜１０のいずれか一つに記載の撮像装置。
【請求項１２】
前記撮像素子にて生成された画像データの画像サイズを、前記一位置を中心として縮小する画像縮小部を備え、
前記特殊画像処理部は、
前記リサイズ処理により、前記画像縮小部にて縮小された画像データの画像サイズを、前記一位置を中心としてさらに縮小する
ことを特徴とする請求項８〜１１のいずれか一つに記載の撮像装置。
【請求項１３】
前記撮像素子にて生成された画像データに対応する画像を表示する表示部と、
前記表示部の表示画面上に設けられ、外部からの物体のタッチを検出し、検出したタッチに応じた信号を出力するタッチパネルと、
前記タッチパネルからの信号に応じて前記特殊画像処理部が行う前記リサイズ処理での前記一位置を設定する中心位置設定部とを備える
ことを特徴とする請求項８〜１２のいずれか一つに記載の撮像装置。
【請求項１４】
移動することで撮影範囲を変更するズームレンズと、
露光間ズーム撮影を行う露光間ズーム撮影モード、または前記ズームレンズを移動せずに前記露光間ズーム撮影を擬似的に行うシミュレーションモードを指示する指示信号の入力を受け付ける操作入力部と、
前記操作入力部によって入力された前記露光間ズーム撮影モードを指示する指示信号に応じて、前記撮像素子及び前記ズームレンズの動作を制御し、前記露光間ズーム撮影を行う露光間ズーム制御部と、
前記操作入力部によって入力された前記シミュレーションモードを指示する指示信号に応じて、前記特殊画像処理部を動作させる画像処理制御部と、
前記撮像素子にて生成された画像データに対応する画像を表示する表示部と、
前記表示部の表示画面上に設けられ、外部からの物体のタッチを検出し、検出したタッチに応じた信号を出力するタッチパネルとを備え、
前記露光間ズーム制御部は、
前記タッチパネルからの信号に応じて前記ズームレンズの動作を制御する
ことを特徴とする請求項８〜１３のいずれか一つに記載の撮像装置。
【請求項１５】
前記撮像素子にて生成された画像データに対応する画像を表示する表示部と、
前記表示部の表示画面上に設けられ、外部からの物体のタッチを検出し、検出したタッチに応じた信号を出力するタッチパネルと、
前記タッチパネルからの信号に応じて前記特殊画像処理部が行う前記リサイズ処理でのリサイズ率を設定するリサイズ率設定部とを備える
ことを特徴とする請求項８〜１４のいずれか一つに記載の撮像装置。
【請求項１６】
前記特殊画像処理部は、
前記リサイズ処理及び前記合成処理を所定回数ずつ、繰り返す反復処理を実行し、
当該撮像装置は、
前記タッチパネルからの信号に応じて前記特殊画像処理部が行う前記リサイズ処理及び前記合成処理の繰り返し回数を設定する回数設定部を備える
ことを特徴とする請求項１５に記載の撮像装置。
【請求項１７】
画像を表示する表示部と、
前記表示部の動作を制御する表示制御部とを備え、
前記表示制御部は、
前記撮像素子にて生成された画像データに対応する画像、及び前記特殊画像処理部による前記合成処理後の画像データに対応する画像を前記表示部に表示させる
ことを特徴とする請求項８〜１６のいずれか一つに記載の撮影装置。
【請求項１８】
画像処理装置が行う画像処理方法において、
画像データにおける画像領域中の少なくとも一部の領域の画像サイズを前記少なくとも一部の領域中の一位置を中心としてリサイズするリサイズ処理を行うとともに、前記リサイズ処理前の画像データ及び前記リサイズ処理後の画像データを前記一位置同士が重なり合うように合成する合成処理を行う特殊画像処理ステップを含む
ことを特徴とする画像処理方法。
【請求項１９】
請求項１８に記載の画像処理方法を画像処理装置に実行させる
ことを特徴とする画像処理プログラム。
【発明の詳細な説明】
【技術分野】
【０００１】
本発明は、画像データに画像処理を施す画像処理装置、撮像装置、画像処理方法、及び画像処理プログラムに関する。
【背景技術】
【０００２】
従来、カメラ（撮像装置）を用いた撮影手法として、露光中にズームレンズの位置（以下、ズーム位置と記載）を変化させる所謂、露光間ズーム撮影が知られている。
このような露光間ズーム撮影では、撮影される範囲が変化するため、中心から放射状に広がる像が撮影されて撮影画像に独特の美的効果（以下、ズーム効果）が与えられる。
そして、このような露光間ズーム撮影を行うための撮像装置として、自動露出処理により算出された露光時間中に、電動でズーム位置を変化させて露光間ズーム撮影を行う技術が提案されている（例えば、特許文献１参照）。
【先行技術文献】
【特許文献】
【０００３】
【特許文献１】特開２０１１−１３３３３号公報
【発明の概要】
【発明が解決しようとする課題】
【０００４】
ところで、撮影される範囲（ズーム倍率）の変化の速さは、ズーム位置に応じて異なるものである。すなわち、露光間ズーム撮影を行う際のズーム位置が異なる場合には、露光中での撮影される範囲の変化の速さが異なるため、得られるズーム効果も異なる。
また、露光間ズーム撮影を行う際の露光時間が異なる場合には、露光中でのズーム位置の変化量（撮影倍率の変化量）が異なるため、得られるズーム効果も異なる。
このため、利用者は、ズーム位置や露光時間に応じた撮像装置の特性を把握した上で露光間ズーム撮影を行わないと、期待したズーム効果を得ることができない。そして、このような特性の把握には、熟練を必要とするものである。
したがって、ズーム効果が与えられた撮影画像を容易に得ることができる技術が要望されている。
【０００５】
本発明は、上記に鑑みてなされたものであって、画像データに画像処理を施すことでズーム効果を擬似的に与えた画像を生成することができる画像処理装置、撮像装置、画像処理方法、及び画像処理プログラムを提供することを目的とする。
【課題を解決するための手段】
【０００６】
上述した課題を解決し、目的を達成するために、本発明に係る画像処理装置は、画像データにおける画像領域中の少なくとも一部の領域の画像サイズを前記少なくとも一部の領域中の一位置を中心としてリサイズするリサイズ処理を行うとともに、前記画像データ及び前記リサイズ処理後の画像データを前記一位置同士が重なり合うように合成する合成処理を行う特殊画像処理部を備えることを特徴とする。
【０００７】
また、本発明に係る画像処理装置は、上記発明において、前記特殊画像処理部は、前記リサイズ処理及び前記合成処理を所定回数ずつ、繰り返す反復処理を実行し、前記反復処理では、前回の前記合成処理で合成した画像データに対して、再度、前記リサイズ処理を行うとともに、前記合成処理により、前記画像データ及び前記再度のリサイズ処理後の画像データを前記一位置同士が重なり合うように合成することを特徴とする。
【０００８】
また、本発明に係る画像処理装置は、上記発明において、前記特殊画像処理部は、前記リサイズ処理及び前記合成処理を所定回数ずつ、繰り返す反復処理を実行し、前記反復処理では、前記画像データに対して、リサイズ率を変更して、再度、前記リサイズ処理を行うとともに、前記合成処理により、前回の前記合成処理で合成した画像データ、及び前記再度のリサイズ処理後の画像データを前記一位置同士が重なり合うように合成することを特徴とする。
【０００９】
また、本発明に係る画像処理装置は、上記発明において、前記リサイズ処理は、画像サイズを拡大する処理であることを特徴とする。
【００１０】
また、本発明に係る画像処理装置は、上記発明において、前記リサイズ処理は、前記画像データにおける画像領域中の一部の領域の画像サイズを、前記一位置を中心として前記画像データと同じ画像サイズに拡大する処理であることを特徴とする。
【００１１】
また、本発明に係る画像処理装置は、上記発明において、前記リサイズ処理は、画像サイズを縮小する処理であることを特徴とする。
【００１２】
また、本発明に係る画像処理装置は、上記発明において、前記合成処理にて前記画像データに合成される前記リサイズ処理後の画像データの合成比率は、前記リサイズ処理後の画像データにおける画像領域の中心位置から離れるにしたがって小さくなるように設定されていることを特徴とする。
【００１３】
また、本発明に係る撮像装置は、被写体を撮像して当該被写体の画像データを生成する撮像素子と、前記撮像素子にて生成された画像データにおける画像領域中の少なくとも一部の領域の画像サイズを前記少なくとも一部の領域中の一位置を中心としてリサイズするリサイズ処理を行うとともに、前記画像データ及び前記リサイズ処理後の画像データを前記一位置同士が重なり合うように合成する合成処理を行う特殊画像処理部とを備えることを特徴とする。
【００１４】
また、本発明に係る撮像装置は、上記発明において、移動することで撮影範囲を変更するズームレンズと、露光間ズーム撮影を行う露光間ズーム撮影モード、または前記ズームレンズを移動せずに前記露光間ズーム撮影を擬似的に行うシミュレーションモードを指示する指示信号の入力を受け付ける操作入力部と、前記操作入力部によって入力された前記露光間ズーム撮影モードを指示する指示信号に応じて、前記撮像素子及び前記ズームレンズの動作を制御し、前記露光間ズーム撮影を行う露光間ズーム制御部と、前記操作入力部によって入力された前記シミュレーションモードを指示する指示信号に応じて、前記特殊画像処理部を動作させる画像処理制御部とを備えることを特徴とする。
【００１５】
また、本発明に係る撮像装置は、上記発明において、前記画像データに含まれる情報に基づいて、前記撮像素子の露光時間を算出する露光時間算出部を備え、前記画像処理制御部は、前記露光間ズーム撮影モードが指示されている状態で、前記露光時間算出部にて算出された露光時間が所定の閾値よりも小さい場合には、前記特殊画像処理部を動作させることを特徴とすることを特徴とする。
【００１６】
また、本発明に係る撮像装置は、上記発明において、前記画像データに含まれる情報に基づいて、前記撮像素子の露光時間を算出する露光時間算出部と、前記露光時間算出部にて算出された露光時間に応じて、前記特殊画像処理部が行う前記リサイズ処理でのリサイズ率を設定するリサイズ率設定部とを備えることを特徴とする。
【００１７】
また、本発明に係る撮像装置は、上記発明において、前記撮像素子にて生成された画像データの画像サイズを、前記一位置を中心として縮小する画像縮小部を備え、前記特殊画像処理部は、前記リサイズ処理により、前記画像縮小部にて縮小された画像データの画像サイズを、前記一位置を中心としてさらに縮小することを特徴とする。
【００１８】
また、本発明に係る撮像装置は、上記発明において、前記撮像素子にて生成された画像データに対応する画像を表示する表示部と、前記表示部の表示画面上に設けられ、外部からの物体のタッチを検出し、検出したタッチに応じた信号を出力するタッチパネルと、前記タッチパネルからの信号に応じて前記特殊画像処理部が行う前記リサイズ処理での前記一位置を設定する中心位置設定部とを備えることを特徴とする。
【００１９】
また、本発明に係る撮像装置は、上記発明において、移動することで撮影範囲を変更するズームレンズと、露光間ズーム撮影を行う露光間ズーム撮影モード、または前記ズームレンズを移動せずに前記露光間ズーム撮影を擬似的に行うシミュレーションモードを指示する指示信号の入力を受け付ける操作入力部と、前記操作入力部によって入力された前記露光間ズーム撮影モードを指示する指示信号に応じて、前記撮像素子及び前記ズームレンズの動作を制御し、前記露光間ズーム撮影を行う露光間ズーム制御部と、前記操作入力部によって入力された前記シミュレーションモードを指示する指示信号に応じて、前記特殊画像処理部を動作させる画像処理制御部と、前記撮像素子にて生成された画像データに対応する画像を表示する表示部と、前記表示部の表示画面上に設けられ、外部からの物体のタッチを検出し、検出したタッチに応じた信号を出力するタッチパネルとを備え、前記露光間ズーム制御部は、前記タッチパネルからの信号に応じて前記ズームレンズの動作を制御することを特徴とする。
【００２０】
また、本発明に係る撮像装置は、上記発明において、前記撮像素子にて生成された画像データに対応する画像を表示する表示部と、前記表示部の表示画面上に設けられ、外部からの物体のタッチを検出し、検出したタッチに応じた信号を出力するタッチパネルと、前記タッチパネルからの信号に応じて前記特殊画像処理部が行う前記リサイズ処理でのリサイズ率を設定するリサイズ率設定部とを備えることを特徴とする。
【００２１】
また、本発明に係る撮像装置は、上記発明において、前記特殊画像処理部は、前記リサイズ処理及び前記合成処理を所定回数ずつ、繰り返す反復処理を実行し、当該撮像装置は、前記タッチパネルからの信号に応じて前記特殊画像処理部が行う前記リサイズ処理及び前記合成処理の繰り返し回数を設定する回数設定部を備えることを特徴とする。
【００２２】
また、本発明に係る撮像装置は、上記発明において、画像を表示する表示部と、前記表示部の動作を制御する表示制御部とを備え、前記表示制御部は、前記撮像素子にて生成された画像データに対応する画像、及び前記特殊画像処理部による前記合成処理後の画像データに対応する画像を前記表示部に表示させることを特徴とする。
【００２３】
また、本発明に係る画像処理方法は、画像処理装置が行う画像処理方法において、画像データにおける画像領域中の少なくとも一部の領域の画像サイズを前記少なくとも一部の領域中の一位置を中心としてリサイズするリサイズ処理を行うとともに、前記リサイズ処理前の画像データ及び前記リサイズ処理後の画像データを前記一位置同士が重なり合うように合成する合成処理を行う特殊画像処理ステップを含むことを特徴とする。
【００２４】
また、本発明に係る画像処理プログラムは、上述した画像処理方法を画像処理装置に実行させることを特徴とする。
【発明の効果】
【００２５】
本発明に係る画像処理装置は、上述したリサイズ処理及び合成処理を行う特殊画像処理部を備える。このため、ズーム効果（画像データにおける画像領域中の一位置を中心として当該一位置にある被写体が徐々に大きくなる、あるいは、小さくなる）を擬似的に与えた画像を生成することができる、という効果を奏する。
本発明に係る撮像装置は、上述した画像処理装置を備えているため、上述した画像処理装置と同様の効果を奏する。
本発明に係る画像処理方法は、上述した画像処理装置が行う画像処理方法であるため、上述した画像処理装置と同様の効果を奏する。
本発明に係る画像処理プログラムは、上述した画像処理装置にて実行されるプログラムであるため、上述した画像処理装置と同様の効果を奏する。
【図面の簡単な説明】
【００２６】
【図１】図１は、本発明の実施の形態１に係る撮像装置のユーザに面する側の構成を示す斜視図である。
【図２】図２は、本発明の実施の形態１に係る撮像装置の構成を示すブロック図である。
【図３】図３は、本発明の実施の形態１に係る撮像装置の動作を示すフローチャートである。
【図４】図４は、本発明の実施の形態１に係るメニュースイッチが操作された場合において、表示部が表示するメニュー画面における画面遷移を示す図である。
【図５】図５は、本発明の実施の形態１に係るメカシャッタによる撮影の概要を示すフローチャートである。
【図６】図６は、本発明の実施の形態１に係るレックビュー表示処理の概要を示すフローチャートである。
【図７】図７は、本発明の実施の形態１に係る特殊画像処理ステップを説明するための図である。
【図８】図８は、本発明の実施の形態１に係る繰り返し実施される各合成処理で第２仕上がり効果画像データにおける各画素の信号に乗じる係数を示す図である。
【図９】図９は、本発明の実施の形態１に係る表示制御部が表示部に表示させるレックビュー画像の一例を示す図である。
【図１０】図１０は、本発明の実施の形態１に係るライブビュー表示処理の概要を示すフローチャートである。
【図１１】図１１は、本発明の実施の形態１に係る表示制御部が表示部に表示させるライブビュー画像の一例を示す図である。
【図１２】図１２は、本発明の実施の形態１の変形例１に係る繰り返し実施される各合成処理での係数ａの変化を示す図である。
【図１３】図１３は、本発明の実施の形態１の変形例２に係る特殊画像処理ステップを説明するための図である。
【図１４】図１４は、本発明の実施の形態２に係るライブビュー表示処理の概要を示すフローチャートである。
【図１５】図１５は、本発明の実施の形態２に係る特殊画像処理ステップを説明するための図である。
【図１６】図１６は、本発明の実施の形態３に係るメカシャッタによる撮影の概要を示すフローチャートである。
【図１７】図１７は、本発明の実施の形態４に係るレックビュー表示処理の概要を示すフローチャートである。
【図１８】図１８は、本発明の実施の形態４に係るライブビュー表示処理の概要を示すフローチャートである。
【図１９】図１９は、本発明の実施の形態５に係る撮像装置の構成を示すブロック図である。
【図２０】図２０は、本発明の実施の形態５に係るメカシャッタによる撮影の概要を示すフローチャートである。
【図２１】図２１は、本発明の実施の形態５に係るレックビュー表示処理の概要を示すフローチャートである。
【図２２】図２２は、本発明の実施の形態５に係る特殊画像処理ステップを説明するための図である。
【図２３】図２３は、本発明の実施の形態５に係る合成処理でリサイズ処理画像データにおける各画素の信号に乗じる係数を示す図である。
【図２４】図２４は、本発明の実施の形態５に係るライブビュー表示処理の概要を示すフローチャートである。
【図２５】図２５は、本実施の形態６に係るメニュースイッチが操作された場合において、表示部が表示するメニュー画面における画面遷移の一部を示す図である。
【図２６】図２６は、本実施の形態６に係るリサイズ処理を説明するための図である。
【図２７】図２７は、本実施の形態７に係るメニュースイッチが操作された場合において、表示部が表示するメニュー画面における画面遷移の一部を示す図である。
【図２８】図２８は、本実施の形態７に係る特殊画像処理ステップを説明するための図である。
【発明を実施するための形態】
【００２７】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００２８】
（実施の形態１）
〔撮像装置の概略構成〕
図１は、本発明の実施の形態１に係る撮像装置のユーザに面する側（前面側）の構成を示す斜視図である。
図２は、撮像装置の構成を示すブロック図である。
撮像装置１は、図１または図２に示すように、本体部２と、本体部２に着脱自在なレンズ部３とを備える。
【００２９】
〔本体部の構成〕
本体部２は、図２に示すように、シャッタ１０と、シャッタ駆動部１１と、撮像素子１２と、撮像素子駆動部１３と、信号処理部１４と、Ａ／Ｄ変換部１５と、画像処理部１６と、ＡＥ処理部１７と、ＡＦ処理部１８と、画像圧縮展開部１９と、入力部２０と、表示部２１と、表示駆動部２２と、タッチパネル２３と、記録媒体２４と、メモリＩ／Ｆ２５と、ＳＤＲＡＭ(Ｓｙｎｃｈｒｏｎｏｕｓ  Ｄｙｎａｍｉｃ  Ｒａｎｄｏｍ  Ａｃｃｅｓｓ  Ｍｅｍｏｒｙ)２６と、Ｆｌａｓｈメモリ２７と、本体通信部２８と、バス２９と、制御部３０等を備える。
【００３０】
シャッタ１０は、撮像素子１２の状態を露光状態または遮光状態に設定する。
シャッタ駆動部１１は、ステッピングモータ等を用いて構成され、制御部３０から入力される指示信号に応じてシャッタ１０を駆動する。
撮像素子１２は、レンズ部３が集光した光を受光して電気信号に変換するＣＣＤ(Ｃｈａｒｇｅ  Ｃｏｕｐｌｅｄ  Ｄｅｖｉｃｅ)またはＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ)等を用いて構成される。
撮像素子駆動部１３は、制御部３０から入力される指示信号に応じて、所定のタイミングで撮像素子１２から画像データ（アナログ信号）を信号処理部１４に出力させる。この意味で、撮像素子駆動部１３は、電子シャッタとして機能する。
【００３１】
信号処理部１４は、撮像素子１２から入力されるアナログ信号に対して、アナログ処理を施してＡ／Ｄ変換部１５に出力する。
具体的には、信号処理部１４は、アナログ信号に対してノイズ低減処理及びゲインアップ処理等を行う。例えば、信号処理部１４は、アナログ信号に対して、リセットノイズ等を低減した上で波形整形を行い、さらに目的の明るさとなるようにゲインアップを行う。
Ａ／Ｄ変換部１５は、信号処理部１４から入力されるアナログ信号に対してＡ／Ｄ変換を行うことによってデジタルの画像データを生成し、バス２９を介してＳＤＲＡＭ２６に出力する。
【００３２】
画像処理部１６は、本発明に係る画像処理装置として機能する部分であり、制御部３０による制御の下、バス２９を介してＳＤＲＡＭ２６から画像データを取得し、取得した画像データ（ＲＡＷデータ）に対して各種の画像処理を施す。この画像処理が施された画像データは、バス２９を介してＳＤＲＡＭ２６に出力される。
この画像処理部１６は、図２に示すように、基本画像処理部１６１と、特殊画像処理部１６２とを備える。
【００３３】
基本画像処理部１６１は、画像データに対して、少なくとも、オプティカルブラック減算処理、ホワイトバランス調整処理、撮像素子がベイヤー配列の場合には画像データの同時化処理、カラーマトリクス演算処理、γ補正処理、色再現処理及びエッジ強調処理等を含む基本の画像処理を行う。また、基本画像処理部１６１は、予め設定された各画像処理のパラメータに基づいて、自然な画像を再現する仕上がり効果処理を行う。ここで、各画像処理のパラメータとは、コントラスト、シャープネス、彩度、ホワイトバランス及び階調の値である。
例えば、仕上がり効果処理の処理項目としては、撮影する画像を自然な色合いに仕上げる処理項目である「Ｎａｔｕｒａｌ」、撮影する画像を色鮮やかに仕上げる処理項目である「Ｖｉｖｉｄ」、撮影する被写体の素材性を重視して仕上げる処理項目である「Ｆｌａｔ」、及び撮影する画像をモノクロ調に仕上げる処理項目である「Ｍｏｎｏｔｏｎｅ」等が挙げられる。
【００３４】
特殊画像処理部１６２は、画像データに対して複数の画像処理を組み合わせることにより視覚的な効果を生じさせる特殊効果処理を行う。この特殊効果処理の組み合わせとしては、例えば、トーンカーブ処理、ぼかし処理、シェーディング追加処理、ノイズ重畳処理、彩度調整処理、リサイズ処理、及び合成処理のいずれか一つを含む組み合わせである。
例えば、特殊効果処理の処理項目としては、「ポップアート」、「ファンタジックフォーカス」、「トイフォト」、「ジオラマ」、「ラフモノクローム」、及び「露光間ズーム（シミュレーション）」等が挙げられる。
【００３５】
処理項目「ポップアート」に対応する特殊効果処理は、色をカラフルに強調し、明るく楽しい雰囲気に表現する処理である。「ポップアート」の画像処理は、例えば彩度調整処理及びコントラスト強調処理等の組み合わせで実現される。
処理項目「ファンタジックフォーカス」に対応する特殊効果処理は、柔らかいトーンの中で空気感を表現しつつ、被写体のディティールを残しながら幸福な光に包まれたように美しく幻想的に表現する処理である。「ファンタジックフォーカス」の画像処理は、例えばトーンカーブ処理、ぼかし処理、アルファブレンド処理及び合成処理等の組み合わせで実現される。
処理項目「トイフォト」に対応する特殊効果処理は、画像の周辺に対してシェーディング効果を施すことにより、昔らしさや思い出感を表現する処理である。「トイフォト」の画像処理は、例えばローパスフィルタ処理、ホワイトバランス処理、コントラスト処理、シェーディング処理および色相・彩度処理等の組み合わせで実現される。
【００３６】
処理項目「ジオラマ」に対応する特殊効果処理は、画面の周辺に対して極端なぼけ効果を施すことにより、おもちゃらしさや作り物らしさを表現する処理である。「ジオラマ」の画像処理は、例えば色相・彩度処理、コントラスト処理、ぼかし処理および合成処理等の組み合わせで実現される（トイフォト、シェーディングの詳細な内容については、例えば特開２０１０−７４２４４号公報を参照）。
処理項目「ラフモノクローム」に対応する特殊効果処理は、極端なコントラストとフィルムの粒状のノイズを付加して荒々しさを表現する処理である。「ラフモノクローム」の画像処理は、例えばエッジ強調処理、レベル補正最適化処理、ノイズパターン重畳処理、合成処理およびコントラスト処理等の組み合わせで実現される（ラフモノクロームの詳細な内容については、例えば特開２０１０−６２８３６号公報を参照）。
【００３７】
処理項目「露光間ズーム（シミュレーション）」に対応する特殊効果処理は、露光間ズーム撮影で得られるズーム効果を擬似的に表現する処理である。「露光間ズーム（シミュレーション）」の画像処理は、リサイズ処理及び合成処理の組み合わせで実現される。
なお、図２では、特殊画像処理部１６２の機能として、本発明の要部である「露光間ズーム（シミュレーション）」の画像処理を実施する画像リサイズ部１６２Ａ及び画像合成部１６２Ｂのみを図示している。
画像リサイズ部１６２Ａは、画像データにおける画像領域中の一部の領域の画像サイズを、当該一部の領域中の一位置を中心として拡大するリサイズ処理を行う。
画像合成部１６２Ｂは、リサイズ処理が施されていない画像データ及びリサイズ処理後の画像データを上記一位置同士が重なり合うように合成する合成処理を行う。
そして、特殊画像処理部１６２は、リサイズ処理及び合成処理を所定回数ずつ、繰り返す反復処理を実行する。
この反復処理では、前回の合成処理により合成した画像データに対して、再度、リサイズ処理を行い、合成処理により、リサイズ処理が施されてない画像データ、及び再度のリサイズ処理後の画像データを上記一位置同士が重なり合うように合成する。
【００３８】
ＡＥ処理部１７は、バス２９を介してＳＤＲＡＭ２６に記憶された画像データを取得し、当該取得した画像データに基づいて、静止画撮影または動画撮影を行う際の露出条件を設定する。
具体的には、ＡＥ処理部１７は、画像データから輝度を算出し、算出した輝度に基づいて、例えば絞り値、露光時間、ＩＳＯ感度等を決定することで撮像装置１の自動露出（Ａｕｔｏ  Ｅｘｐｏｓｕｒｅ）を行う。
すなわち、ＡＥ処理部１７は、本発明に係る露光時間算出部として機能する。
ＡＦ処理部１８は、バス２９を介してＳＤＲＡＭ２６に記憶された画像データを取得し、取得した画像データに基づいて、撮像装置１の自動焦点の調整を行う。例えば、ＡＦ処理部１８は、画像データから高周波成分の信号を取り出し、高周波成分の信号に対してＡＦ(Ａｕｔｏ  Ｆｏｃｕｓ)演算処理を行うことによって、撮像装置１の合焦評価を決定することで撮像装置１の自動焦点の調整を行う。
なお、撮像装置１の自動焦点の調整方法は、撮像素子で位相差信号を取得するものや、専用のＡＦ光学系等を搭載するタイプの方法であっても構わない。
【００３９】
画像圧縮展開部１９は、バス２９を介してＳＤＲＡＭ２６から画像データを取得し、取得した画像データに対して所定の形式に従って圧縮し、この圧縮した画像データをＳＤＲＡＭ２６に出力する。ここで、静止画の圧縮方式は、ＪＰＥＧ(Ｊｏｉｎｔ  Ｐｈｏｔｏｇｒａｐｈｉｃ  Ｅｘｐｅｒｔｓ  Ｇｒｏｕｐ)方式、ＴＩＦＦ（Ｔａｇｇｅｄ  Ｉｍａｇｅ  Ｆｉｌｅ  Ｆｏｒｍａｔ）方式等である。また、動画の圧縮方式は、ＭｏｔｉｏｎＪＰＥＧ方式、及びＭＰ４（Ｈ．２６４）方式等である。また、画像圧縮展開部１９は、バス２９及びメモリＩ／Ｆ２５を介して記録媒体２４に記録された画像データ（圧縮画像データ）を取得し、取得した画像データを展開（伸長）してＳＤＲＡＭ２６に出力する。
【００４０】
入力部２０は、図１に示すように、撮像装置１の電源状態をオン状態またはオフ状態に切り替える電源スイッチ２０１と、静止画撮影の指示を与える静止画レリーズ信号の入力を受け付けるレリーズスイッチ２０２と、撮像装置１に設定された各種撮影モード（静止画撮影モード、動画撮影モード等）を切り替える撮影モード切替スイッチ２０３と、撮像装置１の各種設定を切り替える操作スイッチ２０４と、撮像装置１の各種設定を表示部２１に表示させるメニュースイッチ２０５と、記録媒体２４に記録された画像データに対応する画像を表示部２１に表示させる再生スイッチ２０６と、動画撮影の指示を与える動画レリーズ信号の入力を受け付ける動画スイッチ２０７等を備える。
【００４１】
レリーズスイッチ２０２は、外部からの押圧により進退可能であり、半押しされた場合に撮影準備動作を指示するファーストレリーズ信号の入力を受け付ける一方、全押しされた場合に静止画撮影を指示するセカンドレリーズ信号の入力を受け付ける。
操作スイッチ２０４は、メニュー画面等における選択設定を行う上下左右の各方向スイッチ２０４ａ〜２０４ｄと、メニュー画面等における各方向スイッチ２０４ａ〜２０４ｄによる操作を決定する決定スイッチ２０４ｅ（ＯＫスイッチ）とを備える（図１）。なお、操作スイッチ２０４は、ダイヤルスイッチ等を用いて構成してもよい。
【００４２】
表示部２１は、液晶または有機ＥＬ(Ｅｌｅｃｔｒｏ  Ｌｕｍｉｎｅｓｃｅｎｃｅ)等からなる表示パネルを用いて構成される。
表示駆動部２２は、制御部３０による制御の下、バス２９を介してＳＤＲＡＭ２６に記憶された画像データまたは記録媒体２４に記録された画像データを取得し、取得した画像データに対応する画像を表示部２１に表示させる。
ここで、画像の表示には、撮影直後の画像データを所定時間だけ表示するレックビュー表示、記録媒体２４に記録された画像データを再生する再生表示、及び撮像素子１２が連続的に生成する画像データに対応するライブビュー画像を時系列に沿って順次表示するライブビュー表示等が含まれる。
また、表示部２１は、撮像装置１の操作情報及び撮影に関する情報を適宜表示する。
【００４３】
タッチパネル２３は、図１に示すように、表示部２１の表示画面上に設けられ、外部からの物体のタッチを検出し、検出したタッチ位置に応じた位置信号を出力する。
ここで、一般的には、タッチパネルとして、抵抗膜方式、静電容量方式、光学方式等のタッチパネルがある。本実施の形態１では、タッチパネル２３としては、いずれの方式のタッチパネルであっても適用可能である。
【００４４】
記録媒体２４は、撮像装置１の外部から装着されるメモリカード等を用いて構成され、メモリＩ／Ｆ２５を介して撮像装置１に着脱自在に装着される。
この記録媒体２４には、その種類に応じた図示しない読み書き装置によって画像処理部１６や画像圧縮展開部１９が処理を施した画像データが書き込まれ、または読み書き装置によって記録媒体２４に記録された画像データが読み出される。また、記録媒体２４は、制御部３０による制御の下、メモリＩ／Ｆ２５及びバス２９を介してプログラム及び各種情報それぞれをＦｌａｓｈメモリ２７に出力してもよい。
【００４５】
ＳＤＲＡＭ２６は、揮発性メモリを用いて構成され、バス２９を介してＡ／Ｄ変換部１５から入力される画像データ、画像処理部１６から入力される画像データ及び撮像装置１の処理中の情報を一時的に記憶する。
例えば、ＳＤＲＡＭ２６は、信号処理部１４、Ａ／Ｄ変換部１５及びバス２９を介して、撮像素子１２が１フレーム毎に順次出力する画像データを一時的に記憶する。
Ｆｌａｓｈメモリ２７は、不揮発性メモリを用いて構成される。
このＦｌａｓｈメモリ２７は、撮像装置１を動作させるための各種プログラム（画像処理プログラムも含む）、プログラムの実行中に使用される各種データ、及び画像処理部１６による画像処理の動作に必要な各種パラメータ等を記録する。
例えば、プログラムの実行中に使用される各種データとしては、表示部２１にライブビュー画像を表示させる際での表示フレームレート（例えば、静止画撮影モードの場合に６０ｆｐｓ、動画撮影モードの場合に３０ｆｐｓ）が含まれる。
【００４６】
本体通信部２８は、本体部２に装着されたレンズ部３との通信を行うための通信インターフェースである。
バス２９は、撮像装置１の各構成部位を接続する伝送路等を用いて構成され、撮像装置１の内部で発生した各種データを撮像装置１の各構成部位に転送する。
【００４７】
制御部３０は、ＣＰＵ(Ｃｅｎｔｒａｌ  Ｐｒｏｃｅｓｓｉｎｇ  Ｕｎｉｔ)等を用いて構成され、バス２９を介して、入力部２０からの指示信号やレリーズ信号、または、タッチパネル２３からの位置信号に応じて撮像装置１を構成する各部に対応する指示やデータの転送等を行って撮像装置１の動作を統括的に制御する。例えば、制御部３０は、セカンドレリーズ信号が入力された場合、撮像装置１における撮影動作を開始する制御を行う。ここで、撮像装置１における撮影動作とは、シャッタ駆動部１１及び撮像素子駆動部１３の駆動によって撮像素子１２が出力した画像データに対し、信号処理部１４、Ａ／Ｄ変換部１５および画像処理部１６が所定の処理を施す動作をいう。このように処理が施された画像データは、制御部３０による制御の下、画像圧縮展開部１９で圧縮され、バス２９およびメモリＩ／Ｆ２５を介して記録媒体２４に記録される。
この制御部３０は、図２に示すように、露光間ズーム制御部３０１と、画像処理設定部３０２と、画像処理制御部３０３と、表示制御部３０４等を備える。
【００４８】
露光間ズーム制御部３０１は、バス２９を介して入力される入力部２０からの指示信号やタッチパネル２４からの位置信号に応じて、シャッタ駆動部１１、撮像素子駆動部１３、及びレンズ部３に指示信号を出力し、後述するズームレンズ３１１を移動させながら撮影（露光間ズーム撮影）を行う。
画像処理設定部３０２は、バス２９を介して入力される入力部２０からの指示信号やタッチパネル２４からの位置信号等に応じて、画像処理部１６に実行させるべき画像処理の内容（仕上がり効果処理及び特殊効果処理）を設定する。
画像処理制御部３０３は、画像処理設定部３０２にて設定された画像処理の内容に応じて、画像処理部１６に画像処理を行わせる。
表示制御部３０４は、表示部２１の表示態様を制御する。
【００４９】
以上の構成を有する本体部２に対して、音声入出力機能、フラッシュ機能、着脱自在な電子ビューファインダ（ＥＶＦ）、及びインターネットを介してパーソナルコンピュータ等の外部処理装置と双方向に通信可能な通信部等を具備させてもよい。
【００５０】
〔レンズ部の構成〕
レンズ部３は、図２に示すように、光学系３１と、ズームレンズ駆動部３２と、ズームレンズ位置検出部３３と、フォーカスレンズ駆動部３４と、フォーカスレンズ位置検出部３５と、絞り３６と、絞り駆動部３７と、絞り値検出部３８と、レンズ操作部３９と、レンズ記録部４０と、レンズ通信部４１と、レンズ制御部４２とを備える。
【００５１】
光学系３１は、所定の視野領域から光を集光し、この集光した光を撮像素子１２の撮像面に結像する。この光学系３１は、図２に示すように、ズームレンズ３１１と、フォーカスレンズ３１２とを備える。
ズームレンズ３１１は、一または複数のレンズを用いて構成され、光軸Ｌ（図２）に沿って移動することにより、光学系３１のズーム倍率を変更する。
フォーカスレンズ３１２は、一または複数のレンズを用いて構成され、光軸Ｌに沿って移動することにより、光学系３１のピント位置及び焦点距離を変更する。
【００５２】
ズームレンズ駆動部３２は、ステッピングモータやＤＣモータ等を用いて構成され、レンズ制御部４２による制御の下、ズームレンズ３１１を光軸Ｌに沿って移動させる。
ズームレンズ位置検出部３３は、フォトインタラプタ等を用いて構成され、ズームレンズ駆動部３２にて駆動されたズームレンズ３１１の位置を検出する。
具体的には、ズームレンズ位置検出部３３は、ズームレンズ駆動部３２に含まれる駆動用モータの回転量をパルス数に変換し、変換したパルス数に基づいて、無限遠を基準とする基準位置からのズームレンズ３１１の光軸Ｌ上における位置を検出する。
【００５３】
フォーカスレンズ駆動部３４は、ステッピングモータやＤＣモータ等を用いて構成され、レンズ制御部４２による制御の下、フォーカスレンズ３１２を光軸Ｌに沿って移動させる。
フォーカスレンズ位置検出部３５は、フォトインタラプタ等を用いて構成され、ズームレンズ位置検出部３３と同様の方法により、フォーカスレンズ駆動部３４にて駆動されたフォーカスレンズ３１２の光軸Ｌ上における位置を検出する。
【００５４】
絞り３６は、光学系３１が集光した光の入射量を制限することで露出の調整を行う。
絞り駆動部３７は、ステッピングモータ等を用いて構成され、レンズ制御部４２による制御の下、絞り３６を駆動することで撮像素子１２に入射する光の光量を調整する。
絞り値検出部３８は、絞り駆動部３７にて駆動された絞り３６の状態を検出することで絞り３６の絞り値を検出する。この絞り値検出部３８は、リニアエンコーダや可変抵抗素子等のポテンションメータ及びＡ／Ｄ変換回路等を用いて構成される。
【００５５】
レンズ操作部３９は、図１に示すように、レンズ部３のレンズ鏡筒の周囲に設けられる操作リング等であり、光学系３１内のズームレンズ３１１やフォーカスレンズ３１２の動作または撮像装置１の動作を指示する指示信号の入力を受け付ける。なお、レンズ操作部３９は、プッシュ式のスイッチ等であってもよい。
レンズ記録部４０は、光学系３１及び絞り３６の位置や動きを決定するための制御用プログラム、光学系３１の倍率、焦点距離、画角、収差及びＦ値（明るさ）等を記録する。
レンズ通信部４１は、レンズ部３が本体部２に装着されたときに、本体部２の本体通信部２８と通信を行うための通信インターフェースである。
【００５６】
レンズ制御部４２は、ＣＰＵ等を用いて構成され、本体通信部２８及びレンズ通信部４１を介して入力される制御部３０からの指示信号や駆動信号に応じてレンズ部３の動作を制御する。また、レンズ制御部４２は、本体通信部２８及びレンズ通信部４１を介してズームレンズ位置検出部３３が検出したズームレンズ３１１の位置、フォーカスレンズ位置検出部３５が検出したフォーカスレンズ３１２の位置、及び絞り値検出部３８が検出した絞り３６の絞り値を制御部３０に出力する。
【００５７】
〔撮像装置の動作〕
図３は、撮像装置１の動作を示すフローチャートである。
ユーザによって電源スイッチ２０１が操作されて、撮像装置１の電源がオンになると、制御部３０は、撮像装置１の初期化を行う（ステップＳ１０１）。
具体的には、制御部３０は、動画の記録中を示す記録中フラグをオフ状態にする初期化を行う。この記録中フラグは、動画の撮影中にオン状態になり、動画を撮影していないときにオフ状態となるフラグであり、ＳＤＲＡＭ２６に記憶されている。
【００５８】
続いて、再生スイッチ２０６が操作されることなく（ステップＳ１０２：Ｎｏ）、メニュースイッチ２０５が操作された場合（ステップＳ１０３：Ｙｅｓ）、撮像装置１は、メニュー操作画面を表示し、ユーザの選択操作に応じて撮像装置１の各種条件を設定する設定処理を実行し（ステップＳ１０４）、ステップＳ１０５へ移行する。なお、各種条件の設定処理（ステップＳ１０４）の詳細については後述する。
【００５９】
これに対して、再生スイッチ２０６が操作されることなく（ステップＳ１０２：Ｎｏ）、メニュースイッチ２０５が操作されていない場合（ステップＳ１０３：Ｎｏ）、撮像装置１は、ステップＳ１０５へ移行する。
続いて、制御部３０は、動画スイッチ２０７が操作されたか否かを判断する（ステップＳ１０５）。
動画スイッチ２０７が操作されたと判断された場合（ステップＳ１０５：Ｙｅｓ）、撮像装置１は、後述するステップＳ１２１へ移行する。
一方、動画スイッチ２０７が操作されていないと判断された場合（ステップＳ１０５：Ｎｏ）、撮像装置１は、後述するステップＳ１０６へ移行する。
【００６０】
ステップＳ１０６において、撮像装置１が動画の記録中でなく（ステップＳ１０６：Ｎｏ）、レリーズスイッチ２０２からファーストレリーズ信号が入力された場合（ステップＳ１０７：Ｙｅｓ）、撮像装置１は、後述するステップＳ１１６へ移行する。
一方、レリーズスイッチ２０２を介してファーストレリーズ信号が入力されていない場合（ステップＳ１０７：Ｎｏ）、撮像装置１は、後述するステップＳ１０８へ移行する。
ステップＳ１０８において、レリーズスイッチ２０２を介してセカンドレリーズ信号が入力されていない場合（ステップＳ１０８：Ｎｏ）について説明する。この場合、制御部３０は、ＡＥ処理部１７に露出を調整するＡＥ処理を実行させる（ステップＳ１０９）。
【００６１】
続いて、制御部３０は、撮像素子駆動部１３を駆動することによって、電子シャッタによる撮影を行う（ステップＳ１１０）。電子シャッタによる撮影によって撮像素子１２が生成した画像データは、信号処理部１４、Ａ／Ｄ変換部１５、及びバス２９を介して、ＳＤＲＡＭ２６に出力される。
その後、撮像装置１は、電子シャッタによる撮影によって撮像素子１２が生成した画像データに対応するライブビュー画像を表示部２１に表示させるライブビュー表示処理を実行する（ステップＳ１１１）。なお、ライブビュー表示処理（ステップＳ１１１）の詳細については後述する。
【００６２】
続いて、制御部３０は、電源スイッチ２０１が操作されることにより、撮像装置１の電源がオフされたか否かを判断する（ステップＳ１１２）。
撮像装置１の電源がオフされたと判断された場合（ステップＳ１１２：Ｙｅｓ）、撮像装置１は、本処理を終了する。
一方、撮像装置１の電源がオフされていないと判断された場合（ステップＳ１１２：Ｎｏ）、撮像装置１は、ステップＳ１０２へ戻る。
【００６３】
ステップＳ１０８において、レリーズスイッチ２０２からセカンドレリーズ信号が入力された場合（ステップＳ１０８：Ｙｅｓ）について説明する。
この場合、制御部３０は、メカシャッタによる撮影を行い（ステップＳ１１３）、レックビュー表示処理を実行する（ステップＳ１１４）。
なお、メカシャッタによる撮影（ステップＳ１１３）、及びレックビュー表示処理（ステップＳ１１４）の詳細については後述する。
また、図３において、レックビュー表示処理（ステップＳ１１４）では、レックビュー表示用の画像処理のみならず記録用の画像処理も行っているが、便宜上、単純化して記載している。
【００６４】
その後、制御部３０は、画像データをステップＳ１０４の設定処理により設定した記録形式で画像圧縮展開部１９に圧縮させ、この圧縮した画像データを記録媒体２４に記録する（ステップＳ１１５）。そして、撮像装置１は、ステップＳ１１２に移行する。なお、制御部３０は、画像圧縮展開部１９が上記記録形式で圧縮した画像データに、画像処理部１６が画像処理を行っていないＲＡＷデータを対応付けて記録媒体２４に記録させるようにしてもよい。
【００６５】
ステップＳ１０７において、レリーズスイッチ２０２からファーストレリーズ信号が入力された場合（ステップＳ１０７：Ｙｅｓ）について説明する。
この場合、制御部３０は、ＡＥ処理部１７に露出を調整させるＡＥ処理及びＡＦ処理部１８にピントを調整するＡＦ処理それぞれを実行させる（ステップＳ１１６）。その後、撮像装置１は、ステップＳ１１２へ移行する。
【００６６】
ステップＳ１０６において、撮像装置１が動画の記録中である場合（ステップＳ１０６：Ｙｅｓ）について説明する。
この場合、制御部３０は、ＡＥ処理部１７に露出を調整するＡＥ処理を実行させる（ステップＳ１１７）。
続いて、制御部３０は、撮像素子駆動部１３を駆動することによって、電子シャッタによる撮影を行う（ステップＳ１１８）。電子シャッタによる撮影によって撮像素子１２が生成した画像データは、信号処理部１４、Ａ／Ｄ変換部１５、及びバス２９を介して、ＳＤＲＡＭ２６に出力される。
その後、撮像装置１は、電子シャッタによる撮影によって撮像素子１２が生成した画像データに対応するライブビュー画像を表示部２１に表示させるライブビュー表示処理を実行する（ステップＳ１１９）。なお、ライブビュー表示処理（ステップＳ１１９）の詳細については後述する。
その後、ステップＳ１２０において、制御部３０は、画像データをステップＳ１０４の設定処理により設定した記録形式で画像圧縮展開部１９に圧縮させ、この圧縮した画像データを記録媒体２４に作成された動画ファイルに動画として記録させる。なお、当該圧縮した画像データを動画ファイルに追記しても構わない。そして、撮像装置１は、ステップＳ１１２へ移行する。
【００６７】
ステップＳ１０５において、動画スイッチ２０７が操作された場合（ステップＳ１０５：Ｙｅｓ）について説明する。
この場合、制御部３０は、オン状態で動画の記録中であることを示す記録中フラグを反転する（ステップＳ１２１）。
続いて、制御部３０は、ＳＤＲＡＭ２６に記憶された記録中フラグがオン状態であるか否かを判断する（ステップＳ１２２）。
記録中フラグがオン状態であると判断された場合（ステップＳ１２２：Ｙｅｓ）、制御部３０は、記録媒体２４に画像データを時系列に沿って記録するための動画ファイルを記録媒体２４に生成し（ステップＳ１２３）、撮像装置１は、ステップＳ１０６へ移行する。
一方、記録中フラグがオン状態でないと判断された場合（ステップＳ１２２：Ｎｏ）、撮像装置１は、ステップＳ１０６へ移行する。
【００６８】
ステップＳ１０２において、再生スイッチ２０６が操作された場合（ステップＳ１０２：Ｙｅｓ）について説明する。
この場合、表示制御部３０４は、バス２９及びメモリＩ／Ｆ２５を介して記録媒体２４から画像データを取得し、当該取得した画像データを画像圧縮展開部１９で展開して表示部２１に表示させる再生表示処理を行う（ステップＳ１２４）。その後、撮像装置１は、ステップＳ１１２へ移行する。
【００６９】
〔各種条件の設定処理〕
図４は、メニュースイッチ２０５が操作された場合において、表示部２１が表示するメニュー画面における画面遷移を示す図である。
次に、図３に示した各種条件の設定処理（ステップＳ１０４）を図４に基づいて説明する。
表示制御部３０４は、メニュースイッチ２０５が操作された場合、図４（ａ）に示すように、撮像装置１の設定内容を示すメニュー画面Ｗ１を表示部２１に表示させる。
メニュー画面Ｗ１には、記録形式アイコンＡ１、画像処理設定アイコンＡ２、及び露光間ズーム撮影設定アイコンＡ３等がそれぞれ表示される。
【００７０】
記録形式アイコンＡ１は、静止画及び動画それぞれの記録形式を設定する記録形式メニュー画面（図示略）を表示部２１に表示させる指示信号の入力を受け付けるアイコンである。
画像処理設定アイコンＡ２は、画像処理選択画面Ｗ２（図４（ｂ））を表示部２１に表示させる指示信号の入力を受け付けるアイコンである。
露光間ズーム撮影設定アイコンＡ３は、露光間ズーム撮影設定画面Ｗ５（図４（ｅ））を表示部２１に表示させる指示信号の入力を受け付けるアイコンである。
【００７１】
表示部２１にメニュー画面Ｗ１が表示されている状態で、ユーザによる表示画面上（タッチパネル２３）の画像処理設定アイコンＡ２の表示位置がタッチされる（以下、ユーザによるタッチ操作と記載）と、画像処理設定アイコンＡ２が選択される。そして、表示制御部３０４は、図４（ｂ）に示すように、画像処理選択画面Ｗ２を表示部２１に表示させる。
画像処理選択画面Ｗ２には、仕上がりアイコンＡ２１と、特殊効果アイコンＡ２２とが表示される。
仕上がりアイコンＡ２１は、基本画像処理部１６１が行う仕上がり効果処理の選択を促す仕上がり効果処理選択画面Ｗ３（図４（ｃ））を表示部２１に表示させる指示信号の入力を受け付けるアイコンである。
特殊効果アイコンＡ２２は、特殊画像処理部１６２が行う特殊効果処理の選択を促す特殊効果処理選択画面Ｗ４（図４（ｄ））を表示部２１に表示させる指示信号の入力を受け付けるアイコンである。
【００７２】
表示部２１に画像処理選択画面Ｗ２が表示されている状態で、ユーザによるタッチ操作により仕上がりアイコンＡ２１が選択されると、表示制御部３０４は、図４（ｃ）に示すように、仕上がり効果処理選択画面Ｗ３を表示部２１に表示させる。
仕上がり効果処理選択画面Ｗ３には、仕上がり効果処理の処理項目に対応するアイコンとして、ＮａｔｕｒａｌアイコンＡ３１、ＶｉｖｉｄアイコンＡ３２、ＦｌａｔアイコンＡ３３、及びＭｏｎｏｔｏｎｅアイコンＡ３４が表示される。各アイコンＡ３１〜Ａ３４は、基本画像処理部１６１が行う仕上がり効果処理に対応する処理の設定を指示する指示信号の入力を受け付けるアイコンである。
【００７３】
表示部２１に仕上がり効果処理選択画面Ｗ３が表示されている状態で、ユーザによるタッチ操作により各アイコンＡ３１〜Ａ３４のいずれかが選択されると、表示制御部３０４は、選択されたアイコンをハイライト表示（図４では斜線で表現）させる。なお、図４（ｃ）では、ＶｉｖｉｄアイコンＡ３２が選択された状態を示している。
また、画像処理設定部３０２は、選択されたアイコンに対応する仕上がり効果処理を基本画像処理部１６１が行う処理として設定する。なお、画像処理設定部３０２により設定された仕上がり効果処理に関する情報は、バス２９を介して、ＳＤＲＡＭ２６に出力される。
【００７４】
また、表示部２１に画像処理選択画面Ｗ２が表示されている状態で、ユーザによるタッチ操作により特殊効果アイコンＡ２２が選択されると、表示制御部３０４は、図４（ｄ）に示すように、特殊効果処理選択画面Ｗ４を表示部２１に表示させる。
特殊効果処理選択画面Ｗ４には、特殊効果処理の処理項目に対応するアイコンとして、ポップアートアイコンＡ４１、ファンタジックフォーカスアイコンＡ４２、ジオラマアイコンＡ４３、トイフォトアイコンＡ４４、ラフモノクロームアイコンＡ４５、及び露光間ズーム（シミュレーション）アイコンＡ４６が表示される。各アイコンＡ４１〜Ａ４５は、特殊画像処理部１６２が行う特殊効果処理の設定を指示する指示信号の入力を受け付けるアイコンである。露光間ズーム（シミュレーション）アイコンＡ４６は、特殊画像処理部１６２が行う特殊効果処理である露光間ズーム（シミュレーション）の設定を指示する指示信号（ズームレンズ３１１を移動せずに露光間ズーム撮影を擬似的に行うシミュレーションモードを指示する指示信号）の入力を受け付けるアイコンである。
すなわち、タッチパネル２３は、本発明に係る操作入力部として機能する。
【００７５】
表示部２１に特殊効果処理選択画面Ｗ４が表示されている状態で、ユーザによるタッチ操作により各アイコンＡ４１〜Ａ４６のいずれかが選択されると、表示制御部３０４は、選択されたアイコンをハイライト表示させる。なお、図４（ｄ）では、ファンタジックフォーカスアイコンＡ４２が選択された状態を示している。
また、画像処理設定部３０２は、選択されたアイコンに対応する特殊効果処理を特殊画像処理部１６２が行う処理として設定する。なお、画像処理設定部３０２にて設定された特殊効果処理に関する情報は、バス２９を介して、ＳＤＲＡＭ２６に出力される。
【００７６】
さらに、表示部２１にメニュー画面Ｗ１が表示されている状態で、ユーザによるタッチ操作により露光間ズーム撮影設定アイコンＡ３が選択されると、表示制御部３０４は、図４（ｅ）に示すように、露光間ズーム撮影設定画面Ｗ５を表示部２１に表示させる。
露光間ズーム撮影設定画面Ｗ５には、ＯＮアイコンＡ５１と、ＯＦＦアイコンＡ５２とが表示される。
ＯＮアイコンＡ５１は、露光間ズーム撮影モードを撮像装置１に設定する指示信号の入力を受け付け、ＳＤＲＡＭ２６に記憶された露光間ズーム撮影モードの設定フラグをオン状態にするアイコンである。
ＯＦＦアイコンＡ５２は、露光間ズーム撮影モードを撮像装置１に設定しない指示信号の入力を受け付け、露光間ズーム撮影モードの設定フラグをオフ状態にするアイコンである。
【００７７】
表示部２１に露光間ズーム撮影設定画面Ｗ５が表示されている状態で、ユーザによるタッチ操作により各アイコンＡ５１，Ａ５２のいずれかが選択されると、表示制御部３０４は、選択されたアイコンをハイライト表示させる。なお、図４（ｅ）では、ＯＮアイコンＡ５１が選択された状態を示している。
また、制御部３０は、ＯＮアイコンＡ５１が選択された場合には露光間ズーム撮影モードの設定フラグをオン状態とし、ＯＦＦアイコンＡ５２が選択された場合には露光間ズーム撮影モードの設定フラグをオフ状態とする。
なお、上記説明では、タッチパネル２３を用いたユーザによるタッチ操作により撮像装置１の各種条件を設定する場合を説明したが、ユーザによる操作スイッチ２０４の操作でも同様に各種条件を設定できるものである。
【００７８】
〔メカシャッタによる撮影〕
図５は、メカシャッタによる撮影の概要を示すフローチャートである。
次に、図３に示したメカシャッタによる撮影（ステップＳ１１３）を図５に基づいて説明する。
制御部３０は、ＳＤＲＡＭ２６に記憶された露光間ズーム撮影モードの設定フラグがオン状態であるか否かを判断する（ステップＳ１１３Ａ）。
露光間ズーム撮影モードの設定フラグがオン状態であると判断された場合（ステップＳ１１３Ａ：Ｙｅｓ）、露光間ズーム制御部３０１は、以下に示すように、露光間ズーム撮影を行う。
【００７９】
露光間ズーム制御部３０１は、シャッタ駆動部１１に指示信号を出力し、シャッタ１０を動作させて撮像素子１２の状態を遮光状態に設定し、撮像素子１２をリセットする（ステップＳ１１３Ｂ）。
続いて、露光間ズーム制御部３０１は、本体通信部２８及びレンズ通信部４１を介してレンズ制御部４２に指示信号を出力し、ズームレンズ３１１をテレ端側に移動させてズーム動作を開始する（ステップＳ１１３Ｃ）。
また、露光間ズーム制御部３０１は、シャッタ駆動部１１に指示信号を出力し、シャッタ１０を動作させて撮像素子１２の状態を露光状態に設定し、撮像素子１２の露光動作を開始する（ステップＳ１１３Ｄ）。
【００８０】
続いて、露光間ズーム制御部３０１は、撮像素子１２の露光動作の開始（ステップＳ１１３Ｄ）後、ＡＥ処理（ステップＳ１１６）の実行によりＡＥ処理部１７にて決定された露光時間が経過したか否かを判断する（ステップＳ１１３Ｅ）。なお、ファーストレリーズ信号が一度も入力されず（ステップＳ１０７：Ｎｏ）、一連の処理中にステップＳ１１６が実行されていない場合には、露光間ズーム制御部３０１は、ステップＳ１１３Ｅにおいて、Ｆｌａｓｈメモリ２７に記録された既定時間が経過したか否かを判断する。
露光間ズーム制御部３０１は、露光動作の経過時間が露光時間（または既定時間）に達したと判断した場合（ステップＳ１１３Ｅ：Ｙｅｓ）には、シャッタ駆動部１１に指示信号を出力し、シャッタ１０を動作させて撮像素子１２の状態を遮光状態に設定し、撮像素子１２の露光動作を終了する（ステップＳ１１３Ｆ）。
また、露光間ズーム制御部３０１は、本体通信部２８及びレンズ通信部４１を介してレンズ制御部４２に指示信号を出力し、ズームレンズ３１１の移動を停止させてズーム動作を終了する（ステップＳ１１３Ｇ）。
【００８１】
そして、露光間ズーム制御部３０１は、撮像素子駆動部１３に指示信号を出力し、上記露光動作により生成された画像データを撮像素子１２から出力させる（ステップＳ１１３Ｈ）。撮像素子１２にて生成された画像データは、信号処理部１４及びＡ／Ｄ変換部１５を介して、ＳＤＲＡＭ２６に出力される。その後、撮像装置１は、図３に示したメインルーチンに戻る。
【００８２】
一方、制御部３０は、露光間ズーム撮影モードの設定フラグがオフ状態であると判断した場合（ステップＳ１１３Ａ：Ｎｏ）、以下に示すように、通常撮影を行う。
具体的に、制御部３０は、上述した撮像素子１２のリセット（ステップＳ１１３Ｂ）、撮像素子１２の露光動作（ステップＳ１１３Ｄ〜Ｓ１１３Ｆ）、及び画像データの記憶（ステップＳ１１３Ｈ）と同様の処理を実行する（ステップＳ１１３Ｉ〜Ｓ１１３Ｍ）。その後、撮像装置１は、図３に示したメインルーチンに戻る。
【００８３】
〔レックビュー表示処理〕
図６は、レックビュー表示処理の概要を示すフローチャートである。
次に、図３に示したレックビュー表示処理（ステップＳ１１４）を図６に基づいて説明する。
画像処理制御部３０３は、ＳＤＲＡＭ２６に記憶（ステップＳ１１３Ｈ，Ｓ１１３Ｍ）された画像データ（露光間ズーム撮影及び通常撮影により生成された各画像データ）に対して、画像処理設定部３０２にて設定（ステップＳ１０４）された処理項目（仕上がり効果処理選択画面Ｗ３上で選択された処理項目）に対応する仕上がり効果処理を基本画像処理部１６１に実行させる（ステップＳ１１４Ａ）。
以下では、露光間ズーム撮影（ステップＳ１１３Ｂ〜Ｓ１１３Ｈ）により生成された画像データに対して仕上がり効果処理が施された画像データを第１仕上がり効果画像データと記載する。また、通常撮影（ステップＳ１１３Ｉ〜Ｓ１１３Ｍ）により生成された画像データに対して仕上がり効果処理が施された画像データを第２仕上がり効果画像データと記載する。
そして、第１，第２仕上がり効果画像データは、バス２９を介して、ＳＤＲＡＭ２６に出力される。
【００８４】
続いて、制御部３０は、ＳＤＲＡＭ２６に記憶された露光間ズーム撮影モードの設定フラグがオン状態であるか否かを判断する（ステップＳ１１４Ｂ）。
制御部３０は、露光間ズーム撮影モードの設定フラグがオフ状態であると判断した場合（ステップＳ１１４Ｂ：Ｎｏ）、ＳＤＲＡＭ２６に記憶された情報に基づいて、ステップＳ１０４において設定した特殊効果処理の処理項目（特殊効果処理選択画面Ｗ４上で選択された処理項目）が「露光間ズーム（シミュレーション）」であるか否かを判断する（ステップＳ１１４Ｃ）。
設定された特殊効果処理の処理項目が「露光間ズーム（シミュレーション）」であると判断された場合（ステップＳ１１４Ｃ：Ｙｅｓ）、画像処理制御部３０３は、合成回数（特殊画像処理部１６２が行う反復処理でのリサイズ処理及び合成処理の回数）を計数するカウンタｉを初期化（ｉ＝０）する（ステップＳ１１４Ｄ）。
続いて、画像処理制御部３０３は、以下に示すように、第２仕上がり効果画像データに対して、「露光間ズーム（シミュレーション）」に対応する特殊効果処理（反復処理）を特殊画像処理部１６２に実行させる（ステップＳ１１４Ｅ：特殊画像処理ステップ）。
【００８５】
図７は、特殊画像処理ステップを説明するための図である。
画像処理制御部３０３は、カウンタｉから現状の合成回数を認識し、当該現状の合成回数に応じて、画像リサイズ部１６２Ａにリサイズ処理（拡大処理）を実行させる（ステップＳ１１４Ｆ）。
画像リサイズ部１６２Ａは、現状の合成回数が０回である場合（１回目のリサイズ処理を行う場合）には、第２仕上がり効果画像データに対応する画像Ｗ１００の中心（光学中心）位置Ｃ１０を中心とする一部の領域Ａｒ（図７（ａ））に応じた画像データを、バス２９を介して、ＳＤＲＡＭ２６から読み出す。そして、画像リサイズ部１６２Ａは、読み出した画像データ（領域Ａｒ）の画像サイズを、中心位置（本発明に係る一位置）Ｃ１０を中心として（中心位置Ｃ１０の位置を変えず）画像Ｗ１００と同じ画像サイズに拡大し、リサイズ処理画像データ（画像Ｗ１０１（図７（ｂ）））を生成する。
なお、領域Ａｒのアスペクト比は、画像Ｗ１００のアスペクト比と同一である。
【００８６】
続いて、画像処理制御部３０３は、画像合成部１６２Ｂに合成処理を実行させる（ステップＳ１１４Ｇ）。
画像合成部１６２Ｂは、現状の合成回数が０回である場合（１回目の合成処理を行う場合）には、第２仕上がり効果画像データを、バス２９を介して、ＳＤＲＡＭ２６から読み出す。そして、画像合成部１６２Ｂは、第２仕上がり効果画像データに対応する画像Ｗ１００の中心位置Ｃ１０と、画像リサイズ部１６２Ａにて生成されたリサイズ処理画像データに対応する画像Ｗ１０１の中心位置Ｃ１１（図７（ｂ））とが重なり合うように、各画像データを合成し、合成処理画像データ（画像Ｗ１０２（図７（ｃ）））を生成する。生成された合成処理画像データは、バス２９を介して、ＳＤＲＡＭ２６に出力される。
なお、合成処理（ステップＳ１１４Ｇ）において、画像合成部１６２Ｂは、第２仕上がり効果画像データにおける各画素の信号に係数ａ（０＜ａ≦１）を乗じる一方、リサイズ処理画像データにおける各画素の信号に係数（１−ａ）を乗じて各画像データを合成する。
【００８７】
続いて、画像処理制御部３０３は、カウンタｉをインクリメント（ｉ＝ｉ＋１）し（ステップＳ１１４Ｈ）、カウンタｉが設定値（合成回数）に達したか否かを判断する（ステップＳ１１４Ｉ）。
なお、本実施の形態１では、ステップＳ１１４Ｉで用いる設定値（合成回数）は、例えば１０回に設定されている。
カウンタｉが設定値（合成回数）に達していないと判断された場合（ステップＳ１１４Ｉ：Ｎｏ）、撮像装置１は、ステップＳ１１４Ｆへ戻る。
【００８８】
そして、画像リサイズ部１６２Ａは、２回目以降のリサイズ処理（ステップＳ１１４Ｆ）を行う場合には、第２仕上がり効果画像データではなく、合成処理画像データに対して、リサイズ処理を行う。
例えば、画像リサイズ部１６２Ａは、２回目のリサイズ処理（ステップＳ１１４Ｆ）を行う場合には、合成処理画像データに対応する画像Ｗ１０２の中心位置Ｃ１２を中心とする一部の領域Ａｒ（図７（ｃ））に応じた画像データを、バス２９を介して、ＳＤＲＡＭ２６から読み出す。そして、画像リサイズ部１６２Ａは、読み出した画像データ（領域Ａｒ）の画像サイズを、中心位置Ｃ１２を中心として画像Ｗ１００と同じ画像サイズに拡大し、リサイズ処理画像データ（画像Ｗ１０３（図７（ｄ）））を生成する。
なお、本実施の形態１では、ステップＳ１１４Ｅにおいて、繰り返し実施される各リサイズ処理（ステップＳ１１４Ｆ）での各リサイズ率（拡大率、領域Ａｒの縦（横）寸法に対する画像Ｗ１００の縦（横）寸法）は、一定となるように設定されている。
【００８９】
また、画像合成部１６２Ｂは、２回目以降の合成処理（ステップＳ１１４Ｇ）を行う場合には、上述した１回目の合成処理と同様に、第２仕上がり効果画像データとリサイズ処理画像データとを合成する。
例えば、画像合成部１６２Ｂは、２回目の合成処理（ステップＳ１１４Ｇ）を行う場合には、第２仕上がり効果画像データを、バス２９を介して、ＳＤＲＡＭ２６から読み出す。そして、画像合成部１６２Ｂは、第２仕上がり効果画像データに対応する画像Ｗ１００の中心位置Ｃ１０と、画像リサイズ部１６２Ａにて生成されたリサイズ処理画像データに対応する画像Ｗ１０３の中心位置Ｃ１３（図７（ｄ））とが重なり合うように、各画像データを合成し、合成処理画像データ（画像Ｗ１０４（図７（ｅ）））を生成する。そして、画像合成部１６２Ｂは、ＳＤＲＡＭ２６に記憶された合成処理画像データを最新の合成処理画像データに更新する。
【００９０】
図８は、繰り返し実施される各合成処理（ステップＳ１１４Ｇ）で第２仕上がり効果画像データにおける各画素の信号に乗じる係数を示す図である。
本実施の形態１では、図８に示すように、合成処理（ステップＳ１１４Ｇ）で第２仕上がり効果画像データにおける各画素の信号に乗じる係数ａは０．５（全ての画素の信号に一律に係数ａ＝０．５を乗じる）であり、繰り返し実施される各合成処理（ステップＳ１１４Ｇ）での係数ａも０．５で一定となるように設定されている。
【００９１】
ステップＳ１１４Ｆ〜Ｓ１１４Ｈを繰り返し実施した結果、カウンタｉが設定値に達したと判断された場合（ステップＳ１１４Ｉ：Ｙｅｓ）、撮像装置１は、特殊画像処理部１６２による「露光間ズーム（シミュレーション）」に対応する特殊効果処理を終了し、ステップＳ１１４Ｋへ移行する。
【００９２】
一方、露光間ズーム撮影モードの設定フラグがオン状態であると判断された場合（ステップＳ１１４Ｂ：Ｙｅｓ）、画像処理制御部３０３は、以下の処理を実行する（ステップＳ１１４Ｊ）。
ステップＳ１１４Ｊにおいて、画像処理制御部３０３は、ＳＤＲＡＭ２６に記憶された第１仕上がり効果画像データに対して、画像処理設定部３０２にて設定（ステップＳ１０４）された処理項目（特殊効果処理選択画面Ｗ４上で選択された処理項目（「露光間ズーム（シミュレーション）」以外の処理項目）に対応する特殊効果処理を特殊画像処理部１６２に実行させる（ステップＳ１１４Ｊ）。その後、撮像装置１は、ステップＳ１１４Ｋへ移行する。
なお、設定された特殊効果処理の処理項目が「露光間ズーム（シミュレーション）」ではないと判断された場合（ステップＳ１１４Ｃ：Ｎｏ）、画像処理制御部３０３は、ステップＳ１１４Ｊにおいて、ＳＤＲＡＭ２６に記憶された第２仕上がり効果画像データに対して、上記同様の特殊効果処理（「露光間ズーム（シミュレーション）」以外の処理項目）を特殊画像処理部１６２に実行させる。
なお、ステップＳ１１４Ｉの後、ステップＳ１１４Ｊを実行する、すなわち、ＳＤＲＡＭ２６に記憶された合成処理画像データに対して、「露光間ズーム（シミュレーション）」以外の処理項目に対応する特殊効果処理を実行するように構成しても構わない。
【００９３】
ステップＳ１１４Ｋにおいて、表示制御部３０４は、画像処理部１６が画像処理を施した画像データに対応するレックビュー画像を表示部２１に表示させる。その後、撮像装置１は、図３に示したメインルーチンに戻る。
【００９４】
図９は、表示制御部３０４が表示部２１に表示させるレックビュー画像の一例を示す図である。
例えば、ステップＳ１１４Ｋにおいて、表示制御部３０４は、「露光間ズーム（シミュレーション）」に対応する特殊効果処理が実行（ステップＳ１１４Ｅ）された場合（ＳＤＲＡＭ２６に合成処理画像データが記憶されている場合）には、図９に示すように、第２仕上がり効果画像データに対応するレックビュー画像Ｗ２００と、合成処理画像データに対応するレックビュー画像Ｗ２０１とを所定時間毎に切り替えて表示部２１に表示させる。
また、ステップＳ１１４Ｋにおいて、表示制御部３０４は、「露光間ズーム（シミュレーション）」以外の特殊効果処理が実行（ステップＳ１１４Ｊ）された場合には、当該特殊効果処理が実行された画像データに対応するレックビュー画像（図示略）を表示部２１に表示させる。
【００９５】
〔ライブビュー表示処理〕
図１０は、ライブビュー表示処理の概要を示すフローチャートである。
次に、図３に示したライブビュー表示処理（ステップＳ１１１，Ｓ１１９）を図１０に基づいて説明する。
画像処理制御部３０３は、電子シャッタによる撮影（ステップＳ１１０，Ｓ１１８）によってＳＤＲＡＭ２６に記憶された画像データに対して、ステップＳ１１４Ａと同様に、仕上がり効果処理を基本画像処理部１６１に実行させる（ステップＳ１１１Ａ）。基本画像処理部１６１にて生成された仕上がり効果画像データ（以下、第３仕上がり効果画像データと記載）は、バス２９を介して、ＳＤＲＡＭ２６に出力される。
【００９６】
続いて、制御部３０は、ステップＳ１１４Ｃと同様に、ステップＳ１０４において設定した特殊効果処理の処理項目が「露光間ズーム（シミュレーション）」であるか否かを判断する（ステップＳ１１１Ｂ）。
設定された特殊効果処理の処理項目が「露光間ズーム（シミュレーション）」であると判断された場合（ステップＳ１１１Ｂ：Ｙｅｓ）、撮像装置１は、ステップＳ１１４Ｄと同様のステップＳ１１１Ｃ、及びステップＳ１１４Ｆ〜Ｓ１１４Ｉと同様のステップＳ１１１Ｅ〜Ｓ１１１Ｈを実行する（ステップＳ１１１Ｄ：特殊画像処理ステップ）。なお、ステップＳ１１１Ｄでは、画像処理制御部３０３は、ステップＳ１１４Ｅとは異なり、第２仕上がり効果画像データに代えて第３仕上がり効果画像データを画像処理（「露光間ズーム（シミュレーション）」に対応する特殊効果処理（反復処理））の対象とする。その後、撮像装置１は、ステップＳ１１１Ｊへ移行する。
なお、本実施の形態１では、ステップＳ１１１Ｈで用いる設定値（合成回数）は、動画の記録中である場合（ステップＳ１１９）に例えば５回、動画の記録中でない場合（ステップＳ１１１）に例えば３回に設定されている。
【００９７】
一方、設定された特殊効果処理の処理項目が「露光間ズーム（シミュレーション）」ではないと判断された場合（ステップＳ１１１Ｂ：Ｎｏ）、撮像装置１は、ステップＳ１１４Ｊと同様のステップＳ１１１Ｉを実行する。なお、ステップＳ１１１Ｉでは、画像処理制御部３０３は、ステップＳ１１４Ｊとは異なり、第１，第２仕上がり効果画像データに代えて第３仕上がり効果画像データを画像処理（「露光間ズーム（シミュレーション）」以外の特殊効果処理）の対象とする。その後、撮像装置１は、ステップＳ１１１Ｊへ移行する。
【００９８】
ステップＳ１１１Ｊにおいて、表示制御部３０４は、画像処理部１６が画像処理を施した画像データに対応するライブビュー画像を表示部２１に表示させる。その後、撮像装置１は、図３に示したメインルーチンに戻る。
【００９９】
図１１は、表示制御部３０４が表示部２１に表示させるライブビュー画像の一例を示す図である。
例えば、ステップＳ１１１Ｊにおいて、表示制御部３０４は、「露光間ズーム（シミュレーション）」に対応する特殊効果処理が実行（ステップＳ１１１Ｄ）された場合（ＳＤＲＡＭ２６に合成処理画像データが記憶されている場合）には、図１１に示すように、第３仕上がり効果画像データに対応するライブビュー画像Ｗ３００と、合成処理画像データに対応するライブビュー画像Ｗ３０１とを並べて表示部２１に表示させる。
この際、表示制御部３０４は、表示部２１が表示するライブビュー画像Ｗ３０１に、処理項目である「露光間ズーム（シミュレーション）」を示す情報として「Ｚ」の文字を重畳して表示させる。
また、ステップＳ１１１Ｊにおいて、表示制御部３０４は、「露光間ズーム（シミュレーション）」以外の特殊効果処理が実行（ステップＳ１１１Ｉ）された場合には、当該特殊効果処理が実行された画像データに対応するライブビュー画像（図示略）を表示部２１に表示させる。
【０１００】
なお、ステップＳ１１１Ｄ，Ｓ１１１Ｉにおいて、画像処理の対象となる画像データ（第３仕上がり効果画像データ）は、表示制御部３０４が表示部２１にライブビュー画像を表示させる表示フレームレートに合わせて切り替わるものである。すなわち、ステップＳ１１１Ｄ，Ｓ１１１Ｉは、次のフレームのライブビュー画像が表示される前に、完了する。このため、例えば、表示部２１には、１フレーム目の第３仕上がり効果画像データに対して画像処理（ステップＳ１１１Ｄ，Ｓ１１１Ｉ）が実行された画像データに対応するライブビュー画像が表示された後、２フレーム目の第３仕上がり効果画像データに対して画像処理（ステップＳ１１１Ｄ，Ｓ１１１Ｉ）が実行された画像データに対応するライブビュー画像が表示されることとなる。
【０１０１】
以上説明した本実施の形態１では、撮像装置１は、リサイズ処理（拡大処理）及び合成処理を所定回数ずつ、繰り返す反復処理（特殊画像処理ステップ（ステップＳ１１４Ｅ，Ｓ１１１Ｄ））を実行する特殊画像処理部１６２を備える。このため、画像処理の対象とする画像データにおける画像領域中の光学中心（例えば図７（ａ）に示す中心位置Ｃ１０）を中心として当該光学中心にある被写体が徐々に大きくなるズーム効果を擬似的に与えた画像（例えば図７（ｅ）に示す画像Ｗ１０４）を生成することができる。
【０１０２】
また、本実施の形態１では、特殊画像処理部１６２は、リサイズ処理（ステップＳ１１４Ｆ，Ｓ１１１Ｅ）において、画像処理の対象とする画像データにおける画像領域中の一部の領域Ａｒに応じた画像データを読み出し、当該画像データの画像サイズを拡大する。このため、例えば、画像処理の対象とする画像データを全て読み出し、当該画像データの画像サイズを拡大する場合と比較して、読み出すデータ量が少ないので、リサイズ処理の処理時間、ひいては、特殊画像処理ステップの処理時間を短縮することができる。
【０１０３】
また、本実施の形態１では、撮像装置１は、露光間ズーム撮影可能に構成されている。さらに、撮像装置１は、レックビュー表示処理（ステップＳ１１４）やライブビュー表示処理（ステップＳ１１１，Ｓ１１９）において、「露光間ズーム（シミュレーション）」に対応する特殊効果処理後の画像と当該特殊効果処理前の画像とを表示部２１に表示させる表示制御部３０４を備える。このため、ユーザに当該特殊効果処理前後の画像を比較させ、露光間ズーム撮影を行った場合に、撮影画像にどのようなズーム効果が与えられるかを事前に認識させることができる。
【０１０４】
（実施の形態１の変形例１）
図１２は、本発明の実施の形態１の変形例１に係る繰り返し実施される各合成処理での係数ａの変化を示す図である。
なお、上述した実施の形態１では、特殊画像処理ステップ（ステップＳ１１４Ｅ，Ｓ１１１Ｄ）において、繰り返し実施される各合成処理（ステップＳ１１４Ｇ，Ｓ１１１Ｆ）での係数ａが一定（０．５）であった。このため、「露光間ズーム（シミュレーション）」の特殊効果処理が行われた画像データに対応するレックビュー画像やライブビュー画像では、拡大された画像の明瞭さは、拡大率が大きくなるにしたがって低くなる。すなわち、レックビュー画像やライブビュー画像において、拡大された画像は、残像として表示されていた（例えば図７（ｅ））。
本実施の形態１は、これに限られず、例えば、図１２に示すように、係数ａを各合成処理で異なる値としても構わない。
【０１０５】
具体的に、第２仕上がり効果画像データにおける各画素の信号に乗じる係数ａを１／（ｉ＋２）とし、リサイズ処理画像データにおける各画素の信号に乗じる係数（１−ａ）を（ｉ＋１）／（ｉ＋２）とする。例えば、合成回数が１回目の場合（カウンタｉ＝０）には係数ａは上記式により「１／２」となり、合成回数が２回目の場合（カウンタｉ＝１）には係数ａは上記式により「１／３」となる。
このように係数ａを変更した場合には、「露光間ズーム（シミュレーション）」の特殊効果処理が行われた画像データに対応するレックビュー画像やライブビュー画像では、拡大されていない画像及び拡大された画像の全ての画像の明瞭さが同一となる。
【０１０６】
（実施の形態１の変形例２）
図１３は、本発明の実施の形態１の変形例２に係る特殊画像処理ステップを説明するための図である。
上述した実施の形態１では、リサイズ処理（ステップＳ１１４Ｆ）において、第２仕上がり効果画像データ（合成処理画像データ）に対応する画像の一部の領域Ａｒに応じた画像データを読み出して、当該画像データの画像サイズを拡大していた。
本実施の形態１は、これに限られず、例えば、図１３に示すように、リサイズ処理（ステップＳ１１４Ｆ）を行っても構わない。
例えば、画像リサイズ部１６２Ａは、第２仕上がり効果画像データ（合成処理画像データ）における全ての画像領域のデータを、バス２９を介して、ＳＤＲＡＭ２６から読み出す。そして、画像リサイズ部１６２Ａは、読み出した第２仕上がり効果画像データ（合成処理画像データ）の画像サイズを、第２仕上がり効果画像データ（合成処理画像データ）に対応する画像Ｗ４００の中心位置Ｃ４０（図１３（ａ））を中心として画像Ｗ４００よりも大きい画像サイズに拡大し、リサイズ処理画像データ（画像Ｗ４０１（図１３（ｂ））を生成する。
【０１０７】
この場合、合成処理（ステップＳ１１４Ｇ）では、画像合成部１６２Ｂは、第２仕上がり効果画像データ（合成処理画像データ）に対応する画像Ｗ４００の中心位置Ｃ４０と、リサイズ処理画像データに対応する画像Ｗ４０１の中心位置Ｃ４１（図１３（ｂ））とが重なり合うように、各画像データを合成する（図１３（ｃ））。そして、画像合成部１６２Ｂは、合成した画像データのうち、画像Ｗ４００の画像領域に応じた画像データのみを合成処理画像データ（画像Ｗ４０２（図１３（ｄ））として生成する。
なお、ステップＳ１１１Ｅ（リサイズ処理），Ｓ１１１Ｆ（合成処理）でも、上記ステップＳ１１４Ｆ，Ｓ１１４Ｇと同様に処理しても構わない。
【０１０８】
（実施の形態１の変形例３）
上述した実施の形態１では、「露光間ズーム（シミュレーション）」に対応する特殊効果処理が実行された場合に、第２仕上がり効果画像データに対応するレックビュー画像Ｗ２００と、合成処理画像データに対応するレックビュー画像Ｗ２０１とを所定時間毎に切り替えて表示部２１に表示されていたが、これに限られない。
例えば、画像Ｗ２００，Ｗ２０１を並べて同時に表示部２１に表示させてもよく、あるいは、画像Ｗ２０１のみを表示部２１に表示させてもよい。
また、ライブビュー画像を表示する際も同様に、第３仕上がり効果画像データに対応するライブビュー画像Ｗ３００と、合成処理画像データに対応するライブビュー画像Ｗ３０１とを並べて表示部２１に表示させる表示態様に限られず、ライブビュー画像Ｗ３０１のみを表示部２１に表示させてもよい。
【０１０９】
（実施の形態２）
次に、本発明の実施の形態２について説明する。
以下の説明では、上述した実施の形態１と同様の構成及びステップには同一符号を付し、その詳細な説明は省略または簡略化する。
上述した実施の形態１では、ライブビュー表示処理（ステップＳ１１１，Ｓ１１９）において、ステップＳ１１１Ｈで用いる設定値（合成回数）は、予め決められた回数であった。また、繰り返し実施されるリサイズ処理（ステップＳ１１１Ｅ）において、１回目のリサイズ処理では第３仕上がり効果画像データに対してリサイズ処理を行い、２回目以降のリサイズ処理では合成処理画像データに対してリサイズ処理を行っていた。さらに、繰り返し実施される各リサイズ処理（ステップＳ１１１Ｅ）での各リサイズ率（拡大率）は、一定となるように設定されていた。
【０１１０】
これに対して、本実施の形態２に係るライブビュー表示処理では、表示フレームレートに応じて設定値（合成回数）を変更するとともに、当該設定値（合成回数）に応じて各リサイズ処理での各リサイズ率（拡大率）も変更するものである。また、本実施の形態２に係るライブビュー表示処理では、繰り返し実施される各リサイズ処理では、常に、第３仕上がり効果画像データに対してリサイズ処理を行うものである。
そして、本実施の形態２に係る撮像装置の構成は、上述した実施の形態１と同様の構成である。
以下では、本実施の形態２に係るライブビュー表示処理（図３に示したステップＳ１１１，Ｓ１１９）のみを説明する。
【０１１１】
〔ライブビュー表示処理〕
図１４は、本発明の実施の形態２に係るライブビュー表示処理の概要を示すフローチャートである。
なお、本発明の実施の形態２に係るライブビュー表示処理は、上述した実施の形態１で説明したライブビュー表示処理（図１０）に対して、図１４に示すように、設定値（合成回数）の算出ステップ（ステップ１１１Ｋ）及びリサイズ率の算出ステップ（ステップＳ１１１Ｌ）が追加されている点と特殊画像処理ステップ（ステップＳ１１１Ｄ）の処理内容とが異なるのみである。このため、以下では、上記異なる点のみを説明する。
【０１１２】
〔設定値の算出ステップ（ステップＳ１１１Ｋ）〕
設定値の算出ステップ（ステップＳ１１１Ｋ）は、ステップＳ１１１Ｂで「Ｙｅｓ」と判断された後に実行されるものである。
本実施の形態２に係る画像処理設定部３０２は、撮影モード切替スイッチ２０３の位置を把握し、バス２９を介して、撮影モードに応じた表示フレームレートをＦｌａｓｈメモリ２７から取得する。そして、画像処理設定部３０２は、取得した表示フレームレートに応じた設定値（合成回数）を算出する（ステップＳ１１１Ｋ）。
具体的に、画像処理設定部３０２は、表示フレームレートが高いほど小さい設定値（合成回数）を算出する。例えば、撮影モードが静止画撮影モード（表示フレームレート：６０ｆｐｓ）である場合での設定値（合成回数）は、動画撮影モード（表示フレームレート３０ｆｐｓ）である場合での設定値（合成回数）に対して、小さい回数となる。
そして、画像処理設定部３０２にて算出された設定値（合成回数）に関する情報は、バス２９を介して、ＳＤＲＡＭ２６に出力される。
【０１１３】
〔リサイズ率の算出ステップ（ステップＳ１１１Ｌ）〕
続いて、画像処理設定部３０２は、算出した設定値（合成回数）に基づいて、特殊効果処理ステップＳ１１１Ｄにおいて、繰り返し実施される各リサイズ処理（拡大処理、後述するステップＳ１１１Ｍ）での各リサイズ率（拡大率）を算出する（ステップＳ１１１Ｌ）。その後、撮像装置１は、ステップＳ１１１Ｃへ移行する。
例えば、画像処理設定部３０２は、算出した設定値（合成回数）が３回の場合には、１〜３回目の各リサイズ処理での各リサイズ率をそれぞれ４／３倍、５／３倍、６／３倍とする。また、算出した設定値（合成回数）が６回の場合には、１〜６回目の各リサイズ処理での各リサイズ率をそれぞれ７／６倍、８／６倍、９／６倍、１０／６倍、１１／６倍、１２／６倍とする。
すなわち、画像処理設定部３０２は、算出した設定値（合成回数）がいずれの回数であっても最後の回のリサイズ処理でのリサイズ率が同一（上記の例では２倍）となるように、各回のリサイズ処理でのリサイズ率を算出する。
そして、画像処理設定部３０２にて算出されたリサイズ率に関する情報は、バス２９を介して、ＳＤＲＡＭ２６に出力される。
【０１１４】
〔特殊画像処理ステップ（ステップＳ１１１Ｄ）〕
本実施の形態２に係る画像処理制御部３０３は、ステップＳ１１１Ｄ（特殊画像処理ステップ）において、以下に示すように、「露光間ズーム（シミュレーション）」に対応する特殊効果処理を特殊画像処理部１６２に実行させる。
【０１１５】
図１５は、本発明の実施の形態２に係る特殊画像処理ステップ（ステップＳ１１１Ｄ）を説明するための図である。
画像処理制御部３０３は、カウンタｉから現状の合成回数を認識し、当該現状の合成回数に応じたリサイズ率（拡大率）を、バス２９を介して、ＳＤＲＡＭ２６から取得する。そして、画像処理制御部３０３は、取得したリサイズ率で、画像リサイズ部１６２Ａにリサイズ処理（拡大処理）を実行させる（ステップＳ１１１Ｍ）。
画像リサイズ部１６２Ａは、現状の合成回数が０回である場合（１回目のリサイズ処理を行う場合）には、第３仕上がり効果画像データに対応する画像Ｗ５００の中心位置Ｃ５０を中心とする一部の領域Ａｒ１（図１５（ａ））に応じた画像データを、バス２９を介して、ＳＤＲＡＭ２６から読み出す。そして、画像リサイズ部１６２Ａは、読み出した画像データ（領域Ａｒ１）の画像サイズを、中心位置Ｃ５０を中心として画像Ｗ５００と同じ画像サイズに拡大し、リサイズ処理画像データ（画像Ｗ５０１（図１５（ｂ））を生成する。
例えば、設定値（合成回数）が３回である場合には、１回目のリサイズ処理でのリサイズ率は、上述したように、４／３倍である。この場合には、領域Ａｒ１の縦（横）寸法は、画像Ｗ２００の縦（横）寸法に対して、３／４の寸法となる。
【０１１６】
続いて、画像処理制御部３０３は、カウンタｉから現状の合成回数を認識し、当該現状の合成回数に応じて、画像合成部１６２Ｂに合成処理を実行させる（ステップＳ１１１Ｎ）。
画像合成部１６２Ｂは、現状の合成回数が０回である場合（１回目の合成処理を行う場合）には、第３仕上がり効果画像データを、バス２９を介して、ＳＤＲＡＭ２６から読み出す。そして、画像合成部１６２Ｂは、第３仕上がり効果画像データに対応する画像Ｗ５００の中心位置Ｃ５０と、画像リサイズ部１６２Ａにて生成されたリサイズ処理画像データに対応する画像Ｗ５０１の中心位置Ｃ５１（図１５（ｂ））とが重なり合うように、各画像データを合成し、合成処理画像データ（画像Ｗ５０２（図１５（ｃ））を生成する。生成された合成処理画像データは、バス２９を介して、ＳＤＲＡＭ２６に出力される。
なお、合成処理（ステップＳ１１１Ｎ）において、第３仕上がり効果画像データにおける各画素の信号に乗じる係数ａ、及びリサイズ処理画像データにおける各画素の信号に乗じる係数（１−ａ）は、上述した実施の形態１と同様である。
【０１１７】
続いて、画像処理制御部３０３は、上述した実施の形態１と同様に、カウンタｉのインクリメント（ステップＳ１１１Ｇ）、及びカウンタｉが設定値（合成回数）に達したか否かの判断（ステップＳ１１１Ｈ）を実行する。
なお、本実施の形態１では、ステップＳ１１１Ｈで用いる設定値（合成回数）は、ステップＳ１１１Ｋで算出された設定値であり、ＳＤＲＡＭ２６に記憶されている。
カウンタｉが設定値（合成回数）に達していないと判断された場合（ステップＳ１１１Ｈ：Ｎｏ）、撮像装置１は、ステップＳ１１１Ｍへ戻る。
【０１１８】
そして、画像リサイズ部１６２Ａは、２回目以降のリサイズ処理（ステップＳ１１１Ｍ）を行う場合には、上述した実施の形態１とは異なり、１回目のリサイズ処理と同様に、第３仕上がり効果画像データに対してリサイズ処理を行う。
例えば、画像リサイズ部１６２Ａは、２回目のリサイズ処理（ステップＳ１１１Ｍ）を行う場合には、第３仕上がり効果画像データに対応する画像Ｗ５００の中心位置Ｃ５０を中心とする一部の領域Ａｒ２（図１５（ａ））に応じた画像データを、バス２９を介して、ＳＤＲＡＭ２６から読み出す。そして、画像リサイズ部１６２Ａは、読み出した画像データ（領域Ａｒ２）の画像サイズを、中心位置Ｃ５０を中心として画像Ｗ５００と同じ画像サイズに拡大し、リサイズ処理画像データ（画像Ｗ５０３（図１５（ｄ））を生成する。
例えば、設定値（合成回数）が３回である場合には、２回目のリサイズ処理でのリサイズ率は、上述したように、５／３倍である。この場合には、領域Ａｒ２の縦（横）寸法は、画像Ｗ２００の縦（横）寸法に対して、３／５の寸法となる。
【０１１９】
また、画像合成部１６２Ｂは、２回目以降の合成処理（ステップＳ１１１Ｎ）を行う場合には、上述した１回目の合成処理とは異なり、リサイズ処理画像データと合成処理画像データとを合成する。
例えば、画像合成部１６２Ｂは、２回目の合成処理（ステップＳ１１１Ｎ）を行う場合には、１回目の合成処理で生成された合成処理画像データを、バス２９を介して、ＳＤＲＡＭ２６から読み出す。そして、画像合成部１６２Ｂは、当該合成処理画像データに対応する画像Ｗ５０２の中心位置Ｃ５２（図１５（ｃ））と、画像リサイズ部１６２Ａにて生成されたリサイズ処理画像データに対応する画像Ｗ５０３の中心位置Ｃ５３（図１５（ｄ））とが重なり合うように、各画像データを合成し、合成処理画像データ（画像Ｗ５０４（図１５（ｅ））を生成する。そして、画像合成部１６２Ｂは、ＳＤＲＡＭ２６に記憶された合成処理画像データを最新の合成処理画像データに更新する。
【０１２０】
以上説明した本実施の形態２では、上述した実施の形態１と同様の効果の他、以下の効果を奏する。
本実施の形態２では、画像処理設定部３０２は、表示フレームレートが高いほど小さい設定値（合成回数）に変更する。このため、次のフレームのライブビュー画像が表示される前に、特殊画像処理ステップ（ステップＳ１１１Ｄ）を完了することができる。
また、本実施の形態２では、画像処理設定部３０２は、変更した設定値（合成回数）に応じて、特殊効果処理ステップＳ１１１Ｄにおいて、繰り返し実施される各リサイズ処理（拡大処理、ステップＳ１１１Ｍ）での各リサイズ率（拡大率）を変更する。このため、表示フレームレートが異なる場合であっても、合成処理により合成された複数の画像のうち、最も拡大された画像中の被写体の大きさを略同一（例えば、静止画撮影モードと動画撮影モードとで略同一）とすることができる。
【０１２１】
（実施の形態２の変形例）
なお、上述した実施の形態２では、２回目以降のリサイズ処理（ステップＳ１１１Ｍ）を行う場合に、１回目のリサイズ処理と同様に、第３仕上がり効果画像データに対してリサイズ処理を行っていたが、これに限られない。
例えば、２回目以降のリサイズ処理を行う場合に、上述した実施の形態１と同様に、合成処理画像データに対してリサイズ処理を行っても構わない。
また、上述した実施の形態２において、レックビュー表示処理（ステップＳ１１４）でのリサイズ処理（ステップＳ１１４Ｆ）及び合成処理（ステップＳ１１４Ｇ）でも、ライブビュー表示処理（ステップＳ１１１，Ｓ１１９）でのリサイズ処理（ステップＳ１１１Ｍ）及び合成処理（ステップＳ１１１Ｎ）と同様の処理を採用しても構わない。
【０１２２】
（実施の形態３）
次に、本発明の実施の形態３について説明する。
以下の説明では、上述した実施の形態１と同様の構成及びステップには同一符号を付し、その詳細な説明は省略または簡略化する。
上述した実施の形態１では、ＡＥ処理部１７にて決定された露光時間が長い場合であっても、露光間ズーム撮影モードの設定フラグがオン状態であれば、露光間ズーム撮影を行っていた。
【０１２３】
これに対して、本実施の形態３では、ＡＥ処理部１７にて決定された露光時間が長い場合には、露光間ズーム撮影モードの設定フラグがオン状態であっても、露光間ズーム撮影を行わず、特殊効果処理によりズーム効果を擬似的に与えた画像を生成するものである。
そして、本実施の形態３に係る撮像装置の構成は、上述した実施の形態１と同様の構成である。
以下では、本実施の形態３に係るメカシャッタによる撮影（図３に示したステップＳ１１３）のみを説明する。
【０１２４】
〔メカシャッタによる撮影〕
図１６は、本発明の実施の形態３に係るメカシャッタによる撮影の概要を示すフローチャートである。
なお、本発明の実施の形態３に係るメカシャッタによる撮影は、上述した実施の形態１で説明したメカシャッタによる撮影（図５）に対して、図１６に示すように、露光時間の比較ステップ（ステップＳ１１３Ｎ）及び設定の変更ステップ（Ｓ１１３Ｏ）が追加されている点が異なるのみである。このため、以下では、上記異なる点のみを説明する。
【０１２５】
〔露光時間の比較ステップ（ステップＳ１１３Ｎ）〕
露光時間の比較ステップ（ステップＳ１１３Ｎ）は、ステップＳ１１３Ａで「Ｙｅｓ」と判断された後に実行されるものである。
本実施の形態３に係る画像処理設定部３０２は、ＡＥ処理の実行（ステップＳ１１６）によりＡＥ処理部１７にて決定された露光時間がＦｌａｓｈメモリ２７に記録された閾値未満であるか否かを判断する（ステップＳ１１３Ｎ）。
露光時間が閾値以上であると判断された場合（ステップＳ１１３Ｎ：Ｎｏ）、撮像装置１は、ステップＳ１１３Ｂへ移行する。
なお、ファーストレリーズ信号が一度も入力されず（ステップＳ１０７：Ｎｏ）、一連の処理中にステップＳ１１６が実行されていない場合も同様に、画像処理設定部３０２は、ステップＳ１１３Ｎにおいて、「Ｎｏ」と判断する。
【０１２６】
〔設定の変更ステップ（ステップＳ１１３Ｏ）〕
画像処理設定部３０２は、露光時間が閾値未満であると判断した場合（ステップＳ１１３Ｎ：Ｙｅｓ）、ＳＤＲＡＭ２６に記憶された露光間ズーム撮影モードの設定フラグをオフ状態とし、特殊画像処理部１６２が行う特殊効果処理の処理項目を「露光間ズーム（シミュレーション）」に設定する（ステップＳ１１３Ｏ）。そして、画像処理設定部３０２にて設定された特殊効果処理に関する情報は、バス２９を介して、ＳＤＲＡＭ２６に出力される。その後、撮像装置１は、ステップＳ１１３Ｉへ移行する。
【０１２７】
以上説明した本実施の形態３では、上述した実施の形態１と同様の効果の他、以下の効果を奏する。
露光間ズーム撮影において、露光時間が短い場合には、ズームレンズ３１１の移動量も小さくなる。すなわち、露光間ズーム撮影により得られる撮影画像には、期待したズーム効果が与えられないこととなる。
本実施の形態３では、露光時間が短い場合には、露光間ズーム撮影の設定フラグがオン状態であっても、露光間ズーム撮影を行わない。そして、画像処理設定部３０２は、特殊画像処理部１６２が行う特殊効果処理の処理項目を「露光間ズーム（シミュレーション）」に設定する。このため、露光間ズーム撮影を行う代わりに、特殊効果処理によりユーザの期待したズーム効果を擬似的に与えた画像を生成することができる。
【０１２８】
（実施の形態４）
次に、本発明の実施の形態４について説明する。
以下の説明では、上述した実施の形態１と同様の構成及びステップには同一符号を付し、その詳細な説明は省略または簡略化する。
上述した実施の形態１では、レックビュー表示処理（ステップＳ１１４）及びライブビュー表示処理（ステップＳ１１１，Ｓ１１９）において、繰り返し実施される各リサイズ処理（ステップＳ１１４Ｆ，Ｓ１１１Ｅ）での各リサイズ率（拡大率）は、予め決められた拡大率であった。
【０１２９】
これに対して、本実施の形態４に係るレックビュー表示処理及びライブビュー表示処理では、繰り返し実施される各リサイズ処理での各リサイズ率を、ＡＥ処理部１７にて決定された露光時間に応じて変更するものである。
そして、本実施の形態４に係る撮像装置の構成は、上述した実施の形態１と同様の構成である。
以下では、本実施の形態４に係るレックビュー表示処理（図３に示したステップＳ１１４）及びライブビュー表示処理（図３に示したステップＳ１１１，Ｓ１１９）のみを説明する。
【０１３０】
〔レックビュー表示処理〕
図１７は、本発明の実施の形態４に係るレックビュー表示処理の概要を示すフローチャートである。
なお、本発明の実施の形態４に係るレックビュー表示処理は、上述した実施の形態１で説明したレックビュー表示処理（図６）に対して、図１７に示すように、リサイズ率の算出ステップ（ステップＳ１１４Ｌ）が追加されている点が異なるのみである。このため、以下では、上記異なる点のみを説明する。
【０１３１】
リサイズ率の算出ステップ（ステップＳ１１４Ｌ）は、ステップＳ１１４Ｃで「Ｙｅｓ」と判断された後に実行されるものである。
本実施の形態４に係る画像処理設定部３０２は、ＡＥ処理の実行（ステップＳ１１６）によりＡＥ処理部１７にて決定された露光時間に基づいて、特殊効果処理ステップＳ１１４Ｅにおいて、繰り返し実施される各リサイズ処理（ステップＳ１１４Ｆ）でのリサイズ率（拡大率）を算出する（ステップＳ１１４Ｌ）。その後、撮像装置１は、ステップＳ１１４Ｄへ移行する。
具体的に、画像処理設定部３０２は、露光時間が長いほど大きいリサイズ率（拡大率）を算出する。
そして、画像処理設定部３０２にて算出されたリサイズ率（拡大率）に関する情報は、バス２９を介して、ＳＤＲＡＭ２６に出力される。
以上のように、本実施の形態４に係る画像処理設定部３０２は、本発明に係るリサイズ率設定部としての機能を有する。
その後、実行されるリサイズ処理（ステップＳ１１４Ｆ）では、画像処理制御部３０３は、ＳＤＲＡＭ２６に記憶されたリサイズ率（拡大率）を読み出し、当該リサイズ率で、上述した実施の形態１と同様に画像リサイズ部１６２Ａにリサイズ処理（拡大処理）を実行させる。
【０１３２】
〔ライブビュー表示処理〕
図１８は、本発明の実施の形態４に係るライブビュー表示処理の概要を示すフローチャートである。
なお、本発明の実施の形態４に係るライブビュー表示処理は、上述した実施の形態１で説明したライブビュー表示処理（図１０）に対して、図１８に示すように、ステップＳ１１４Ｌと同様のリサイズ率の算出ステップ（ステップＳ１１１Ｏ）が追加されている点が異なるのみである。
【０１３３】
以上説明した本実施の形態４では、上述した実施の形態１と同様の効果の他、以下の効果を奏する。
露光間ズーム撮影において、露光時間が長い場合には、ズームレンズ３１１の移動量も大きくなる。
本実施の形態４では、画像処理設定部３０２は、露光時間が長いほど大きいリサイズ率（拡大率）に変更する。このため、露光間ズーム撮影により撮影画像に与えられるズーム効果と、特殊画像処理により擬似的に与えるズーム効果とを略同一のものとすることができる。したがって、ユーザは、露光間ズーム撮影を実際に行わなくても、特殊画像処理が実行された画像を確認することで、露光間ズーム撮影での撮影結果を予測することができる。
【０１３４】
（実施の形態４の変形例）
なお、上述した実施の形態４では、特殊画像処理ステップ（ステップＳ１１４Ｅ，Ｓ１１１Ｄ）において、設定値（合成回数）は、予め決められた回数であったが、これに限られない。
例えば、レックビュー表示処理（ステップＳ１１４）やライブビュー表示処理（ステップＳ１１１，Ｓ１１９）において、特殊画像処理ステップの前に、ＡＥ処理の実行（ステップＳ１１６）によりＡＥ処理部１７にて決定された露光時間に応じた設定値（合成回数）を画像処理設定部３０２が算出する。そして、特殊画像処理ステップ（ステップＳ１１４Ｅ，Ｓ１１１Ｄ）において、画像処理制御部３０３は、画像処理設定部３０２にて算出された設定値（合成回数）を用いる。
この場合、画像処理設定部３０２は、露光時間が長いほど大きい設定値（合成回数）を算出する。
なお、ファーストレリーズ信号が一度も入力されず（ステップＳ１０７：Ｎｏ）、一連の処理中にステップＳ１１６が実行されていない場合には、画像処理設定部３０２は、Ｆｌａｓｈメモリ２７に記録された既定回数を設定値（合成回数）とすればよい。
【０１３５】
（実施の形態５）
次に、本発明の実施の形態５について説明する。
以下の説明では、上述した実施の形態１と同様の構成及びステップには同一符号を付し、その詳細な説明は省略または簡略化する。
上述した実施の形態１では、露光間ズーム撮影（ステップＳ１１３Ｂ〜Ｓ１１３Ｈ）において、ズームレンズ３１１をテレ端側に移動させながら撮影を行うことで、撮影画像に被写体が徐々に大きくなるズーム効果を与えていた。また、露光間ズーム（シミュレーション）の特殊効果処理（ステップＳ１１４Ｅ，Ｓ１１１Ｄ）でも、被写体が徐々に大きくなるズーム効果を擬似的に表現するために、リサイズ処理（ステップＳ１１４Ｆ，Ｓ１１１Ｅ）において、画像サイズを拡大する拡大処理を行っていた。
【０１３６】
これに対して、本実施の形態５に係る露光間ズーム撮影では、撮影画像に被写体が徐々に小さくなるズーム効果を与えるものである。また、これに合わせて、本実施の形態５に係る露光間ズーム（シミュレーション）の特殊効果処理では、被写体が徐々に小さくなるズーム効果を擬似的に表現するものである。さらに、本実施の形態５に係る撮像装置（本体部）は、上述した実施の形態１の撮像装置１に対して、画像リサイズ部１６１とは別に、画像サイズを縮小するＲＡＷリサイズ部が追加されている。その他の構成は、上述した実施の形態１と同様である。
【０１３７】
〔撮像装置の構成〕
図１９は、本発明の実施の形態２に係る撮像装置の構成を示すブロック図である。
本発明の実施の形態２に係る撮像装置１Ａ（本体部２Ａ）は、上述した実施の形態１の撮像装置１（図２）に対して、図１９に示すように、ＲＡＷリサイズ部５０が追加されている。
本実施の形態２に係るＡ／Ｄ変換部１５は、生成したデジタルの画像データを、バス２９を介してＳＤＲＡＭ２６に出力するとともに、ＲＡＷリサイズ部５０に出力する。
ＲＡＷリサイズ部５０は、Ａ／Ｄ変換部１５から入力される画像データの画像サイズを当該画像データにおける画像領域中の一位置を中心として所定の倍率（以下、ＲＡＷリサイズ率と記載）で縮小するＲＡＷリサイズ処理を行って、ＲＡＷリサイズ画像データを生成する。そして、生成されたＲＡＷリサイズ画像データは、バス２９を介して、ＳＤＲＡＭ２６に出力される。
すなわち、ＲＡＷリサイズ部５０は、本発明に係る画像縮小部として機能する。
【０１３８】
〔撮像装置の動作〕
本発明の実施の形態２に係る撮像装置１Ａの動作は、上述した実施の形態１の撮像装置１の動作（図３）に対して、メカシャッタによる撮影（ステップＳ１１３）、レックビュー表示処理（ステップＳ１１４）、電子シャッタによる撮影（ステップＳ１１８）、及びライブビュー表示処理（ステップＳ１１１，Ｓ１１９）の処理内容が異なる。このため、以下では、上記異なる点のみを説明する。
【０１３９】
〔メカシャッタによる撮影〕
図２０は、本発明の実施の形態５に係るメカシャッタによる撮影（図３に示したステップＳ１１３）の概要を示すフローチャートである。
本実施の形態２に係る露光間ズーム制御部３０１は、図２０に示すように、露光間ズーム撮影において、上述した実施の形態１のステップＳ１１３Ｃ，Ｓ１１３Ｇとは異なるズーム動作を行う（ステップＳ１１３Ｐ，Ｓ１１３Ｑ）。
具体的に、露光間ズーム制御部３０１は、ステップＳ１１３Ｐにおいて、本体通信部２８及びレンズ通信部４１を介してレンズ制御部４２に指示信号を出力し、ズームレンズ３１１をワイド端側に移動させてズーム動作を開始する。
そして、露光間ズーム制御部３０１は、撮像素子１２の露光動作の終了（ステップＳ１１３Ｆ）後、ステップＳ１１３Ｑにおいて、本体通信部２８及びレンズ通信部４１を介してレンズ制御部４２に指示信号を出力し、ズームレンズ３１１の移動を停止させてズーム動作を終了する。
【０１４０】
また、ＲＡＷリサイズ部５０は、図２０に示すように、通常撮影（ステップＳ１１３Ｉ〜Ｓ１１３Ｍ）後、ＲＡＷリサイズ処理を行う（ステップＳ１１３Ｒ）。
具体的に、ＲＡＷリサイズ部５０は、通常撮影により撮像素子１２から出力され、信号処理部１４及びＡ／Ｄ変換部１５を介して入力される画像データの画像サイズを当該画像データに対応する画像の中心位置を中心としてＲＡＷリサイズ率で縮小し、ＲＡＷリサイズ画像データを生成する。そして、生成されたＲＡＷリサイズ画像データは、バス２９を介して、ＳＤＲＡＭ２６に出力される。
【０１４１】
〔レックビュー表示処理〕
図２１は、本発明の実施の形態５に係るレックビュー表示処理（図３に示したステップＳ１１４）の概要を示すフローチャートである。
本実施の形態２に係る画像処理制御部３０３は、上述した実施の形態１と同様に、ＲＡＷリサイズ処理が施されていない画像データ（露光間ズーム撮影及び通常撮影により生成された各画像データ）に対して仕上がり効果処理を基本画像処理部１６１に実行させる（ステップＳ１１４Ａ）。さらに、画像処理制御部３０３は、ＳＤＲＡＭ２６に記憶されたＲＡＷリサイズ画像データに対しても同様の仕上がり効果処理を基本画像処理部１６１に実行させる（ステップＳ１１４Ｍ）。
【０１４２】
以下では、上述した実施の形態１と同様に露光間ズーム撮影（ステップＳ１１３Ｂ，Ｓ１１３Ｐ，Ｓ１１３Ｄ〜Ｓ１１３Ｆ，Ｓ１１３Ｑ，Ｓ１１３Ｈ）により生成された画像データに対して仕上がり効果処理が施された画像データを第１仕上がり効果画像データと記載し、通常撮影（Ｓ１１３Ｉ〜Ｓ１１３Ｍ）により生成された画像データに対して仕上がり効果処理が施された画像データを第２仕上がり効果画像データと記載する。また、ＲＡＷリサイズ画像データに対して仕上がり効果処理が施された画像データを第４仕上がり効果画像データと記載する。
そして、基本画像処理部１６１にて生成された第１，第２，第４仕上がり効果画像データは、バス２９を介して、ＳＤＲＡＭ２６に出力される。
また、画像処理制御部３０３は、ステップＳ１１４Ｅ（特殊画像処理ステップ）において、以下に示すように、「露光間ズーム（シミュレーション）」に対応する特殊効果処理を特殊画像処理部１６２に実行させる。
【０１４３】
図２２は、本発明の実施の形態５に係る特殊画像処理ステップ（ステップＳ１１４Ｅ）を説明するための図である。
本実施の形態５に係るリサイズ処理は、上述した実施の形態１とは異なり、画像データの画像サイズを縮小する処理である。また、特殊画像処理ステップ（ステップＳ１１４Ｅ）において、繰り返し実施される各リサイズ処理での各リサイズ率は、異なる倍率であり、回数が増えるにしたがって減少するように設定されている。そして、これら各リサイズ率に関する情報は、Ｆｌａｓｈメモリ２７に記録されている。
【０１４４】
画像処理制御部３０３は、カウンタｉから現状の合成回数を認識し、当該現状の合成回数に応じたリサイズ率を、バス２９を介して、Ｆｌａｓｈメモリ２７から読み出す。そして、画像処理制御部３０３は、読み出したリサイズ率とＲＡＷリサイズ率とを比較し、読み出したリサイズ率がＲＡＷリサイズ率よりも大きいか否かを判断する（ステップＳ１１４Ｎ）。
画像処理制御部３０３は、読み出したリサイズ率がＲＡＷリサイズ率よりも大きいと判断した場合（ステップＳ１１４Ｎ：Ｙｅｓ）には、第２仕上がり効果画像データをリサイズ処理の対象とする画像データとして選択する（ステップＳ１１４Ｏ）。
続いて、画像処理制御部３０３は、ステップＳ１１４Ｏで選択した第２仕上がり画像データに対して、上記読み出したリサイズ率で、画像リサイズ部１６２Ａにリサイズ処理（縮小処理）を実行させる（ステップＳ１１４Ｐ）。
【０１４５】
画像リサイズ部１６２Ａは、ステップＳ１１４Ｏで第２仕上がり効果画像データが選択され、１回目のリサイズ処理を行う場合には、第２仕上がり効果画像データを、バス２９を介して、ＳＤＲＡＭ２６から読み出す。そして、画像リサイズ部１６２Ａは、読み出した第２仕上がり効果画像データの画像サイズを、当該第２仕上がり効果画像データに対応する画像Ｗ６００の中心位置Ｃ６０（図２２（ａ））を中心として縮小し、リサイズ処理画像データ（画像Ｗ６０１（図２２（ｂ））を生成する。
【０１４６】
続いて、画像処理制御部３０３は、カウンタｉから現状の合成回数を認識し、当該現状の合成回数に応じて、画像合成部１６２Ｂに合成処理を実行させる（ステップＳ１１４Ｑ）。
画像合成部１６２Ｂは、１回目の合成処理を行う場合には、第２仕上がり効果画像データを、バス２９を介して、ＳＤＲＡＭ２６から読み出す。そして、画像合成部１６２Ｂは、第２仕上がり効果画像データに対応する画像Ｗ６００の中心位置Ｃ６０と、画像リサイズ部１６２Ａにて生成されたリサイズ処理画像データに対応する画像Ｗ６０１の中心位置Ｃ６１（図２２（ｂ））とが重なり合うように、各画像データを合成し、合成処理画像データ（画像Ｗ６０２（図２２（ｃ））を生成する。生成された合成処理画像データは、バス２９を介して、ＳＤＲＡＭ２６に出力される。
なお、合成処理（ステップＳ１１４Ｑ）において、画像合成部１６２Ｂは、リサイズ処理画像データにおける各画素の信号に係数ｂ（０＜ｂ≦１）を乗じる一方、第２仕上がり効果画像データにおける各画素の信号に係数（１−ｂ）を乗じて各画像データを合成する。
【０１４７】
図２３は、本発明の実施の形態５に係る合成処理（ステップＳ１１４Ｑ）でリサイズ処理画像データにおける各画素の信号に乗じる係数を示す図である。
なお、図２３では、リサイズ処理画像データに対応する画像Ｗ６０１の中心位置Ｃ６１を通るＸ方向（図２３中、左右方向）の各画素の信号に乗じる係数ｂを図２３中、上側に示し、中心位置Ｃ６１を通るＹ方向（図２３中、上下方向）の各画素の信号に乗じる係数ｂを図２３中、右側に示している。
本実施の形態５では、合成処理（ステップＳ１１４Ｑ）でリサイズ処理画像データにおける各画素の信号に乗じる係数ｂは、図２３に示すように、設定されている。
具体的に、当該係数ｂは、リサイズ処理画像データに対応する画像Ｗ６０１の中心位置Ｃ６１の画素の信号に乗じる係数ｂが最も高い０．５となり、中心位置Ｃ６１から離れるにしたがって小さくなり、画像Ｗ６０１の外縁位置の画素の信号に乗じる係数ｂが０となるように設定されている。
なお、繰り返し実施される各合成処理（ステップＳ１１４Ｑ）での係数ｂは、画素毎に一定となるように設定されている。
【０１４８】
続いて、画像処理制御部３０３は、上述した実施の形態１と同様に、カウンタｉのインクリメント（ステップＳ１１４Ｈ）、及びカウンタｉが設定値（合成回数）に達したか否かの判断（ステップＳ１１４Ｉ）を実行する。
カウンタｉが設定値に達していないと判断された場合（ステップＳ１１４Ｉ：Ｎｏ）、撮像装置１は、ステップＳ１１４Ｎへ移行する。
【０１４９】
一方、画像処理制御部３０３は、読み出したリサイズ率がＲＡＷリサイズ率よりも小さいと判断した場合（ステップＳ１１４Ｎ：Ｎｏ）には、第４仕上がり効果画像データをリサイズ処理の対象とする画像データとして選択する（ステップＳ１１４Ｒ）。
その後、画像処理制御部３０３は、ステップＳ１１４Ｐにおいて、リサイズ処理後の画像が第２仕上がり効果画像データに対して上記読み出したリサイズ率でリサイズ処理を行った画像と同じ画像サイズとなるように、画像リサイズ部１６２Ａにリサイズ処理（縮小処理）を実行させる。
【０１５０】
例えば、画像リサイズ部１６２Ａは、２回目のリサイズ処理（ステップＳ１１４Ｐ）を行う場合であって、ステップＳ１１４Ｒで第４仕上がり効果画像データが選択されている場合には、第４仕上がり効果画像データを、バス２９を介して、ＳＤＲＡＭ２６から読み出す。そして、画像リサイズ部１６２Ａは、読み出した第４仕上がり効果画像データの画像サイズを、当該第４仕上がり効果画像データに対応する画像Ｗ６０３の中心位置Ｃ６３（図２２（ｄ））を中心として縮小し、リサイズ処理画像データ（画像Ｗ６０４（図２２（ｅ））を生成する。
【０１５１】
また、画像合成部１６２Ｂは、２回目以降の合成処理（ステップＳ１１４Ｑ）を行う場合には、上述した１回目の合成処理とは異なり、リサイズ処理画像データと合成処理画像データとを合成する。
例えば、画像合成部１６２Ｂは、２回目の合成処理（ステップＳ１１４Ｑ）を行う場合には、１回目の合成処理で生成された合成処理画像データを、バス２９を介して、ＳＤＲＡＭ２６から読み出す。そして、画像合成部１６２Ｂは、当該合成処理画像データに対応する画像Ｗ６０２の中心位置Ｃ６２（図２２（ｃ））と、画像リサイズ部１６２Ａにて生成されたリサイズ処理画像データに対応する画像Ｗ６０４の中心位置Ｃ６４（図２２（ｅ））とが重なり合うように、各画像データを合成し、合成処理画像データ（画像Ｗ６０５（図２２（ｆ））を生成する。そして、画像合成部１６２Ｂは、ＳＤＲＡＭ２６に記憶された合成処理画像データを最新の合成処理画像データに更新する。
【０１５２】
〔電子シャッタによる撮影〕
本実施の形態２では、電子シャッタによる撮影（ステップＳ１１８）によって撮像素子１２が生成した画像データは、信号処理部１４、Ａ／Ｄ変換部１５、及びバス２９を介してＳＤＲＡＭ２６に出力されるとともに、信号処理部１４及びＡ／Ｄ変換部１５を介してＲＡＷリサイズ部５０に出力される。
そして、ＲＡＷリサイズ部５０は、Ａ／Ｄ変換部１５から入力される画像データの画像サイズを、ＲＡＷリサイズ処理により、当該画像データに対応する画像の中心位置を中心としてＲＡＷリサイズ率で縮小し、ＲＡＷリサイズ画像データを生成する。そして、生成されたＲＡＷリサイズ画像データは、バス２９を介して、ＳＤＲＡＭ２６に出力される。
【０１５３】
〔ライブビュー表示処理〕
図２４は、本発明の実施の形態５に係るライブビュー表示処理（ステップＳ１１１，Ｓ１１９）の概要を示すフローチャートである。
本実施の形態５に係る画像処理制御部３０３は、上述した実施の形態１と同様に、仕上がり効果処理を実行させることで第３仕上がり効果画像データを基本画像処理部１６１に生成させる（ステップＳ１１１Ａ）。さらに、画像処理制御部３０３は、ＳＤＲＡＭ２６に記憶されたＲＡＷリサイズ画像データに対しても同様の仕上がり効果処理を実行させることで第５仕上がり効果画像データを基本画像処理部１６１に生成させる（ステップＳ１１１Ｐ）。
そして、第３，第５仕上がり効果画像データは、バス２９を介して、ＳＤＲＡＭ２６に出力される。
【０１５４】
また、画像処理制御部３０３は、ステップＳ１１１Ｄ（特殊画像処理ステップ）において、レックビュー表示処理（ステップＳ１１４）でのステップＳ１１４Ｎ〜Ｓ１１４Ｒと同様のステップＳ１１１Ｑ〜Ｓ１１１Ｕを実行する。なお、ステップＳ１１１Ｄでは、画像処理制御部３０３は、ステップＳ１１４Ｅとは異なり、第４仕上がり効果画像データに代えて第５仕上がり効果画像データを、第２仕上がり効果画像データに代えて第３仕上がり効果画像データを画像処理（「露光間ズーム（シミュレーション）」に対応する特殊効果処理（反復処理））の対象とする。
【０１５５】
以上説明した本実施の形態５では、上述した実施の形態１と同様の効果の他、以下の効果を奏する。
本実施の形態５では、特殊画像処理部１６２は、画像サイズを縮小するリサイズ処理（縮小処理）を実行する。このため、画像処理の対象とする画像データにおける画像領域中の光学中心（例えば図２２（ａ）に示す中心位置Ｃ６０）を中心として当該光学中心にある被写体が徐々に小さくなるズーム効果を擬似的に与えた画像（例えば図２２（ｆ）に示す画像Ｗ６０５）を生成することができる。
【０１５６】
また、本実施の形態５では、合成処理（ステップＳ１１４Ｑ）において、リサイズ処理画像データにおける各画素の信号に乗じる係数ｂは、リサイズ処理画像データに対応する画像Ｗ６０１の中心位置Ｃ６１から離れるにしたがって小さくなり、画像Ｗ６０１の外縁位置の画素の信号に乗じる係数ｂが０となるように設定されている。このため、合成処理画像データに対応する画像（例えば図２２（ｃ），（ｆ）に示す画像Ｗ６０２，Ｗ６０５）において、リサイズ処理画像データに対応する画像（例えば図２２（ｃ），（ｆ）に示す画像Ｗ６０１，Ｗ６０４）の外縁位置を目立たなくし、自然な画像とすることができる。
【０１５７】
ところで、ＲＡＷリサイズ処理が施されていない第２，第３仕上がり効果画像データは、ＲＡＷリサイズ処理が施された第４，第５仕上がり効果画像データに対して、画像サイズが大きく、データ量も多いものである。
本実施の形態５では、特殊画像処理部１６２は、リサイズ処理（Ｓ１１４Ｐ，Ｓ１１１Ｓ）でのリサイズ率が比較的に小さい場合に、予めＲＡＷリサイズ部５０にて縮小されている第４，第５仕上がり効果画像データを読み出して、リサイズ処理を行う。このため、例えば第２，第３仕上がり効果画像データを読み出してリサイズ処理を行う場合と比較して、読み出すデータ量が少ないので、リサイズ処理の処理時間、ひいては、特殊画像処理ステップ（ステップＳ１１４Ｅ，Ｓ１１１Ｄ）の処理時間を短縮することができる。
【０１５８】
（実施の形態６）
次に、本発明の実施の形態６について説明する。
以下の説明では、上述した実施の形態１と同様の構成及びステップには同一符号を付して、その詳細な説明は省略または簡略化する。
上述した実施の形態１では、リサイズ処理（ステップＳ１１４Ｆ，Ｓ１１１Ｅ）において、拡大中心（本発明に係る一位置）は、光学中心に設定されていた。
これに対して、本実施の形態６では、各種条件の設定処理において、ユーザによるタッチ操作で拡大中心を設定可能とするものである。
そして、本実施の形態６に係る撮像装置の構成は、上述した実施の形態１と同様の構成である。
以下では、本実施の形態６に係る各種条件の設定処理（図３に示したステップＳ１０４）及びリサイズ処理（図６に示したステップＳ１１４Ｆ、図１０に示したステップＳ１１１Ｅ）のみを説明する。
【０１５９】
〔各種条件の設定処理〕
図２５は、本実施の形態６に係るメニュースイッチ２０５が操作された場合において、表示部２１が表示するメニュー画面における画面遷移の一部を示す図である。
本実施の形態６に係る表示制御部３０４は、表示部２１に特殊効果処理選択画面Ｗ４（図４（ｄ））が表示されている状態で、ユーザによるタッチ操作により露光間ズーム（シミュレーション）アイコンＡ４６が選択されると、図２５に示すように、ライブビュー画像Ｗ６を表示部２１に表示させる。
ライブビュー画像Ｗ６は、タッチ操作により拡大中心をユーザに設定させる画面であり、「拡大中心をタッチ」の文字が重畳して表示されている。
そして、本実施の形態６に係る画像処理設定部３０２は、表示部２１にライブビュー画像Ｗ６が表示されている状態で、ユーザによるタッチ操作により、例えば、図２５に示す位置ＣＴがタッチされた場合には、光学中心ＣＯではなく、タッチされた位置ＣＴ（タッチ操作によるタッチ面上の接触領域(タッチ領域)の例えば重心位置）をリサイズ処理での拡大中心として設定する。なお、画像処理設定部３０２にて設定された拡大中心ＣＴに関する情報は、バス２９を介して、ＳＤＲＡＭ２６に出力される。
すなわち、本実施の形態６に係る画像処理設定部３０２は、本発明に係る中心位置設定部としての機能を有する。
【０１６０】
〔リサイズ処理〕
図２６は、本実施の形態６に係るリサイズ処理（図６に示したステップＳ１１４Ｆ、図１０に示したステップＳ１１１Ｅ）を説明するための図である。
なお、上述した実施の形態１で説明したように、特殊画像処理ステップ（ステップＳ１１４Ｅ，Ｓ１１１Ｄ）において、１回目のリサイズ処理と２回目以降のリサイズ処理とは、画像処理の対象とする画像データ（１回目：第２，第３仕上がり効果画像データ、２回目以降：合成処理画像データ）が異なるのみである。このため、以下では、１回目のリサイズ処理のみを説明する。
画像処理制御部３０３は、拡大中心ＣＴに関する情報を、バス２９を介して、ＳＤＲＡＭ２６から読み出す。そして、画像処理制御部３０３は、画像リサイズ部１６２Ａに拡大中心ＣＴを中心とするリサイズ処理（拡大処理）を実行させる。
画像リサイズ部１６２Ａは、画像処理の対象とする第２仕上がり効果画像データ（第３仕上がり効果画像データ）に対応する画像Ｗ７００（図２６）において、拡大中心ＣＴを含む一部の領域Ａｒに応じた画像データを、バス２９を介して、ＳＤＲＡＭ２６から読み出す。そして、画像リサイズ部１６２Ａは、読み出した画像データ（領域Ａｒ）の画像サイズを、拡大中心ＣＴを中心として画像Ｗ７００と同じ画像サイズに拡大し、リサイズ処理画像データ（画像Ｗ７０１（図２６（ｂ））を生成する。
【０１６１】
以上説明した本実施の形態６では、上述した実施の形態１と同様の効果の他、以下の効果を奏する。
本実施の形態６では、画像処理設定部３０２は、ユーザによるタッチ操作により、拡大中心ＣＴを設定する。このため、拡大中心ＣＴを、光学中心ＣＯ以外の位置で、ユーザの希望する位置に設定することができ、光学中心ＣＯを拡大中心とする露光間ズーム撮影では得られない画像をユーザの希望に合わせて生成することができる。
また、本実施の形態６では、表示制御部３０４は、ライブビュー画像Ｗ６を表示部２１に表示させ、ユーザにタッチ操作を促す。このため、ユーザは、ライブビュー画像Ｗ６を確認しながらタッチ操作することで、希望する位置を容易に拡大中心ＣＴとすることができる。したがって、一段と使い勝手のよい撮像装置１を実現することができる。
【０１６２】
（実施の形態７）
次に、本発明の実施の形態７について説明する。
以下の説明では、上述した実施の形態１と同様の構成及びステップには同一符号を付して、その詳細な説明は省略または簡略化する。
上述した実施の形態１では、リサイズ処理（ステップＳ１１４Ｆ，Ｓ１１１Ｅ）において、リサイズ率（拡大率）は、予め決められた拡大率であった。
これに対して、本実施の形態７では、各種条件の設定処理において、ユーザによるタッチ操作でリサイズ率を設定可能とするものである。また、本実施の形態７に係る露光間ズーム撮影では、ユーザによるタッチ操作で設定されたリサイズ率に基づいて、ズーム動作を行うものである。
そして、本実施の形態７に係る撮像装置の構成は、上述した実施の形態１と同様の構成である。
以下では、本実施の形態７に係る各種条件の設定処理（図３に示したステップＳ１０４）、及び露光間ズーム撮影（図５に示したステップＳ１１３Ｂ〜Ｓ１１３Ｈ）のみを説明する。
【０１６３】
〔各種条件の設定処理〕
図２７は、本実施の形態７に係るメニュースイッチ２０５が操作された場合において、表示部２１が表示するメニュー画面における画面遷移の一部を示す図である。
本実施の形態７に係る表示制御部３０４は、表示部２１に特殊効果処理選択画面Ｗ４（図４（ｄ））が表示されている状態で、ユーザによるタッチ操作により露光間ズーム（シミュレーション）アイコンＡ４６が選択されると、図２７に示すように、ライブビュー画像Ｗ７を表示部２１に表示させる。
ライブビュー画像Ｗ７は、タッチ操作によりリサイズ率をユーザに設定させる画面であり、「タッチで効果」の文字が重畳して表示されている。
そして、本実施の形態７に係る画像処理設定部３０２は、表示部２１にライブビュー画像Ｗ７が表示されている状態で、ユーザによるタッチ操作により、例えば、図２７に示すタッチ開始位置Ｐ１（被写体の輪郭）がタッチされた後、タッチ終了位置Ｐ２までスライドされた場合には、以下に示すように、リサイズ処理（ステップＳ１１４Ｆ，Ｓ１１１Ｅ）でのリサイズ率を設定する。
【０１６４】
画像処理設定部３０２は、図２７に示すように、光学中心ＣＯからタッチ開始位置Ｐ１までの長さをＲ、上記スライド量（タッチ開始位置Ｐ１からタッチ終了位置Ｐ２までの長さ）をＳｈとした場合に、（Ｒ+Ｓｈ）／Ｒをズーム倍率として算出する。
そして、画像処理設定部３０２は、特殊画像処理ステップ（ステップＳ１１４Ｅ，Ｓ１１１Ｄ）において、リサイズ処理及び合成処理が繰り返し実施された場合に、最も拡大された画像が拡大されていない元の画像に対して上記ズーム倍率だけ拡大されるように、当該ズーム倍率及び設定値（合成回数）に基づいて、リサイズ率（１回のリサイズ処理での拡大率）を算出する。
なお、画像処理設定部３０２にて算出されたズーム倍率及びリサイズ率に関する情報は、バス２９を介して、ＳＤＲＡＭ２６に出力される。
以上のように、本実施の形態７に係る画像処理設定部３０２は、本発明に係るリサイズ率設定部としての機能を有する。
【０１６５】
図２８は、本実施の形態７に係る特殊画像処理ステップ（図６に示したステップＳ１１４Ｅ、図１０に示したステップＳ１１１Ｄ）により生成された画像を示す図である。
なお、図２８では、合成処理により合成された複数の画像のうち、拡大されていない元の画像と最も拡大された画像のみを図示している。
そして、本実施の形態７に係る画像処理制御部３０３は、ステップＳ１１４Ｆ，Ｓ１１１Ｅにおいて、リサイズ率に関する情報を、バス２９を介して、ＳＤＲＡＭ２６から読み出し、当該リサイズ率で、画像リサイズ部１６２Ａにリサイズ処理（拡大処理）を実行させる。
このようなリサイズ処理を実行することで、特殊画像処理ステップにより生成される合成処理画像データに対応する画像は、図２８に示すように、最も拡大された画像中の被写体の輪郭が拡大されていない元の画像中の被写体の輪郭に対してスライド量Ｓｈだけ離れた位置に拡大された画像Ｗ８００となる。
【０１６６】
〔露光間ズーム撮影〕
本実施の形態７に係る露光間ズーム制御部３０１は、ステップＳ１１３Ｃ，Ｓ１１３Ｇにおいて、以下に示すズーム動作を行う。
すなわち、露光間ズーム制御部３０１は、ズーム倍率に関する情報を、バス２９を介して、ＳＤＲＡＭ２６から読み出す。
また、露光間ズーム制御部３０１は、当該ズーム倍率に応じたズームレンズ３１１の移動量を算出するとともに、当該移動量とＡＥ処理（ステップＳ１１６）の実行によりＡＥ処理部１７にて決定された露光時間とに基づいて、ズームレンズ３１１の移動速度を算出する。
そして、露光間ズーム制御部３０１は、ステップＳ１１３Ｃ，Ｓ１１３Ｇにおいて、本体通信部２８及びレンズ通信部４１を介してレンズ制御部４２に指示信号を出力し、上記算出した移動速度で上記算出した移動量だけ、ズームレンズ３１１を移動させる。
【０１６７】
以上説明した本実施の形態７では、上述した実施の形態１と同様の効果の他、以下の効果を奏する。
本実施の形態７では、画像処理設定部３０２は、ユーザによるタッチ操作でのスライド量に基づいて、ズーム倍率及びリサイズ率を設定する。また、露光間ズーム制御部３０１は、露光間ズーム撮影（ステップＳ１１３Ｂ〜Ｓ１１３Ｈ）を行う際、ズーム倍率に応じた移動速度及び移動量でズーム動作を行う。このため、露光間ズーム撮影により撮影画像に与えられるズーム効果と、特殊画像処理により擬似的に与えるズーム効果とを略同一のものとすることができる。したがって、ユーザは、露光間ズーム撮影を実際に行わなくても、特殊画像処理が実行された画像を確認することで、露光間ズーム撮影での撮影結果を予測することができる。
また、本実施の形態７では、表示制御部３０４は、ライブビュー画像Ｗ７を表示部２１に表示させ、ユーザにタッチ操作を促す。このため、ユーザは、ライブビュー画像Ｗ７を確認しながらタッチ操作することで、希望するズーム倍率を設定することができる。したがって、一段と使い勝手のよい撮像装置１を実現することができる。
【０１６８】
（実施の形態７の変形例）
なお、上述した実施の形態７では、特殊画像処理ステップ（ステップＳ１１４Ｅ，Ｓ１１１Ｄ）において、設定値（合成回数）は、予め決められた回数であったが、これに限られない。
例えば、表示部２１にライブビュー画像Ｗ７が表示されている状態で、一定時間内にユーザにより実施されるタッチ操作の回数（図２７の例では、タッチ開始位置Ｐ１からタッチ終了位置Ｐ２までスライドした後、再度、同様のスライドを実施する回数）に応じて、画像処理設定部３０２が設定値（合成回数）を変更するように構成しても構わない。
この場合、画像処理設定部３０２は、当該タッチ操作の回数が多いほど大きい設定値（合成回数）に変更する。
【０１６９】
また、例えば、タッチパネル２３を、タッチ操作でのタッチ面への接触面積や押圧力を検知するタッチ強度感応式のタッチパネルで構成する。そして、表示部２１にライブビュー画像Ｗ７が表示されている状態で、ユーザによるタッチ操作の強度に応じて、画像処理設定部３０２が設定値（合成回数）を変更するように構成しても構わない。
この場合、画像処理設定部３０２は、当該タッチ操作の強度が大きいほど大きい設定値（合成回数）に変更する。
【０１７０】
さらに、例えば、タッチパネル２３を、タッチ操作でのタッチ面からユーザの指先との距離を検知可能なタッチパネルで構成する。そして、表示部２１にライブビュー画像Ｗ７が表示されている状態で、ユーザによるタッチ操作でのタッチ面とユーザの指先との距離に応じて、画像処理設定部３０２が設定値（合成回数）を変更するように構成しても構わない。
この場合、画像処理設定部３０２は、当該距離が近いほど大きい設定値（合成回数）に変更する。
以上のように、本実施の形態７の変形例に係る画像処理設定部３０２は、本発明に係る回数設定部としての機能を有する。
以上説明した実施の形態７の変形例によれば、タッチ操作の回数、タッチ操作の強度、及びタッチ面とユーザの指先との近さに応じて、設定値（合成回数）が変更されるので、ズーム効果の異なる画像をユーザの希望に合わせて生成することができる。
【０１７１】
（その他の実施の形態）
ここまで、本発明を実施するための形態を説明してきたが、本発明は上述した実施の形態１〜７によってのみ限定されるべきものではない。
例えば、本体部２，２Ａとレンズ部３とを一体的に形成しても構わない。
また、本発明に係る撮像装置１は、デジタル一眼レフカメラ以外にも、例えばアクセサリ等を装着可能なデジタルカメラ、デジタルビデオカメラ及び撮影機能を有する携帯電話やタブレット型携帯機器等の電子機器にも適用することができる。
さらに、処理フローは、上述した実施の形態１〜７で説明したフローチャートにおける処理の順序に限られず、矛盾のない範囲で変更しても構わない。
また、本明細書においてフローチャートを用いて説明した処理のアルゴリズムは、プログラムとして記述することが可能である。このようなプログラムは、コンピュータ内部の記録部に記録してもよいし、コンピュータ読み取り可能な記録媒体に記録してもよい。プログラムの記録部または記録媒体への記録は、コンピュータまたは記録媒体を製品として出荷する際に行ってもよいし、通信ネットワークを介したダウンロードにより行ってもよい。
【符号の説明】
【０１７２】
１，１Ａ  撮像装置
２，２Ａ  本体部
３  レンズ部
１０  シャッタ
１１  シャッタ駆動部
１２  撮像素子
１３  撮像素子駆動部
１４  信号処理部
１５  Ａ／Ｄ変換部
１６  画像処理部
１７  ＡＥ処理部
１８  ＡＦ処理部
１９  画像圧縮展開部
２０  入力部
２１  表示部
２２  表示駆動部
２３  タッチパネル
２４  記録媒体
２５  メモリＩ／Ｆ
２６  ＳＤＲＡＭ
２７  Ｆｌａｓｈメモリ
２８  本体通信部
２９  バス
３０  制御部
３１  光学系
３２  ズームレンズ駆動部
３３  ズームレンズ位置検出部
３４  フォーカスレンズ駆動部
３５  フォーカスレンズ位置検出部
３６  絞り
３７  絞り駆動部
３８  絞り値検出部
３９  レンズ操作部
４０  レンズ記録部
４１  レンズ通信部
４２  レンズ制御部
５０  ＲＡＷリサイズ部
１６１  基本画像処理部
１６２  特殊画像処理部
１６２Ａ  画像リサイズ部
１６２Ｂ  画像合成部
２０１  電源スイッチ
２０２  レリーズスイッチ
２０３  撮影モード切替スイッチ
２０４  操作スイッチ
２０４ａ〜２０４ｄ  方向スイッチ
２０４ｅ  決定スイッチ
２０５  メニュースイッチ
２０６  再生スイッチ
２０７  動画スイッチ
３０１  露光間ズーム制御部
３０２  画像処理設定部
３０３  画像処理制御部
３０４  表示制御部
３１１  ズームレンズ
３１２  フォーカスレンズ
Ａ１  記録形式アイコン
Ａ２  画像処理設定アイコン
Ａ３  露光間ズーム撮影設定アイコン
Ａ２１  仕上がりアイコン
Ａ２２  特殊効果アイコン
Ａ３１  Ｎａｔｕｒａｌアイコン
Ａ３２  Ｖｉｖｉｄアイコン
Ａ３３  Ｆｌａｔアイコン
Ａ３４  Ｍｏｎｏｔｏｎｅアイコン
Ａ４１  ポップアートアイコン
Ａ４２  ファンタジックフォーカスアイコン
Ａ４３  ジオラマアイコン
Ａ４４  トイフォトアイコン
Ａ４５  ラフモノクロームアイコン
Ａ４６  露光間ズーム（シミュレーション）アイコン
Ａ５１  ＯＮアイコン
Ａ５２  ＯＦＦアイコン
Ａｒ，Ａｒ１，Ａｒ２  領域
Ｃ１０〜Ｃ１３，Ｃ４０，Ｃ４１，Ｃ５０〜Ｃ５３，Ｃ６０〜Ｃ６４  中心位置
ＣＯ  光学中心
ＣＴ  拡大中心
Ｐ１  タッチ開始位置
Ｐ２  タッチ終了位置
Ｒ  光学中心からタッチ開始位置までの長さ
Ｓｈ  スライド量
Ｗ１  メニュー画面
Ｗ２  画像処理選択画面
Ｗ３  仕上がり効果処理選択画面
Ｗ４  特殊効果処理選択画面
Ｗ５  露光間ズーム撮影設定画面
Ｗ６，Ｗ７  ライブビュー画像
Ｗ１００〜Ｗ１０４，Ｗ４００〜Ｗ４０２，Ｗ５００〜Ｗ５０４，Ｗ６００〜Ｗ６０５，Ｗ７００，Ｗ７０１  画像
Ｗ２００，Ｗ２０１  レックビュー画像
Ｗ３００，Ｗ３０１  ライブビュー画像
【図１】
2014239382.tif 000003
【図２】
2014239382.tif 000004
【図３】
2014239382.tif 000005
【図４】
2014239382.tif 000006
【図５】
2014239382.tif 000007
【図６】
2014239382.tif 000008
【図７】
2014239382.tif 000009
【図８】
2014239382.tif 000010
【図９】
2014239382.tif 000011
【図１０】
2014239382.tif 000012
【図１１】
2014239382.tif 000013
【図１２】
2014239382.tif 000014
【図１３】
2014239382.tif 000015
【図１４】
2014239382.tif 000016
【図１５】
2014239382.tif 000017
【図１６】
2014239382.tif 000018
【図１７】
2014239382.tif 000019
【図１８】
2014239382.tif 000020
【図１９】
2014239382.tif 000021
【図２０】
2014239382.tif 000022
【図２１】
2014239382.tif 000023
【図２２】
2014239382.tif 000024
【図２３】
2014239382.tif 000025
【図２４】
2014239382.tif 000026
【図２５】
2014239382.tif 000027
【図２６】
2014239382.tif 000028
【図２７】
2014239382.tif 000029
【図２８】
2014239382.tif 000030